(57)【要約】  本発明は、通信技術の分野に関連し、電力がＤＡＳ内の遠端における能動混合器へ供給される既存の解決法がもたらす、施工の難易度が高く費用が高いという問題を解決するための分散アンテナシステムおよび信号伝送方法を開示する。本発明において提供されるＤＡＳは、信号源、第１信号生成器、第１受動混合器、および第１アンテナを備える。第１信号生成器は、第１局部周波数信号を生成し、受動ＤＡＳ回線を使用することによって第１局部周波数信号を第１受動混合器へ送信するように構成される。第１受動混合器は、第１局部周波数信号と、第２無線周波数帯を有するダウンリンク無線周波数信号とを受信するように構成される。第１受動混合器はさらに、第１無線周波数帯を有する第１ダウンリンク無線周波数信号を形成するために、第１局部周波数信号を使用することによって、第２無線周波数帯を有する、受信されたダウンリンク無線周波数信号に対して周波数混合処理を実行し、次に、第１無線周波数帯を有する第１ダウンリンク無線周波数信号を第１アンテナへ送信するように構成される。第１アンテナは、第１無線周波数帯を有する、受信された第１ダウンリンク無線周波数信号を伝送するように構成される。
2018525860.tif 000002
【特許請求の範囲】
【請求項１】
近端信号生成デバイス、受動ＤＡＳ回線、および遠端伝送デバイスを備える分散アンテナシステムＤＡＳであって、前記近端信号生成デバイスは、信号源および第１信号生成器を有し、前記遠端伝送デバイスは、第１受動混合器および第１アンテナを有し、
前記第１信号生成器は、第１局部周波数信号を生成し、前記受動ＤＡＳ回線を使用することによって前記第１局部周波数信号を前記第１受動混合器へ送信するように構成され、
前記第１受動混合器は、前記第１局部周波数信号と、第２無線周波数帯を有するダウンリンク無線周波数信号とを受信するように構成され、
前記第１受動混合器はさらに、第１無線周波数帯を有する前記第１ダウンリンク無線周波数信号を形成するために、前記第１局部周波数信号を使用することによって、前記第２無線周波数帯を有する、受信された前記ダウンリンク無線周波数信号に対して周波数混合処理を実行し、次に、前記第１無線周波数帯を有する前記第１ダウンリンク無線周波数信号を前記第１アンテナへ送信するように構成され、
前記第１アンテナは、前記第１無線周波数帯を有する、受信された前記第１ダウンリンク無線周波数信号を伝送するように構成される、
ＤＡＳ。
【請求項２】
前記近端信号生成デバイスはさらに、第１混合器および合波器を有し、前記遠端伝送デバイスはさらに、前記分波器を有し、
前記第１混合器は、前記信号源によって送信される、前記第１無線周波数帯を有する前記第１ダウンリンク無線周波数信号を受信するように構成され、
前記第１混合器はさらに、前記第１信号生成器によって生成される前記第１局部周波数信号を使用することによって、前記第１ダウンリンク無線周波数信号に対して周波数混合処理を実行し、周波数混合後に生成される、前記第２無線周波数帯を有する前記ダウンリンク無線周波数信号を前記合波器へ送信するように、または、
前記第１混合器によって生成される局部周波数信号を使用することによって前記第１ダウンリンク無線周波数信号に対して周波数混合処理を実行し、周波数混合後に生成される、前記第２無線周波数帯を有する前記ダウンリンク無線周波数信号を前記合波器へ送信するように構成され、
前記第１信号生成器は、具体的には、前記第１局部周波数信号を前記合波器へ送信するように構成され、
前記合波器は、前記第２無線周波数帯を有する前記ダウンリンク無線周波数信号と、前記第１局部周波数信号とを受信し、合波済みダウンリンク無線周波数信号を形成するために、前記第２無線周波数帯を有する、受信された前記ダウンリンク無線周波数信号と、受信された前記第１局部周波数信号とを合波し、次に、前記受動ＤＡＳ回線を使用することによって、前記合波済みダウンリンク無線周波数信号を前記分波器へ送信するように構成され、
前記分波器は、前記合波済みダウンリンク無線周波数信号を受信し、前記第２無線周波数帯を有する前記ダウンリンク無線周波数信号と、前記第１局部周波数信号とを取得するために、受信された前記合波済みダウンリンク無線周波数信号に含まれる前記信号を分離し、次に、前記第２無線周波数帯を有する前記ダウンリンク無線周波数信号と、前記第１局部周波数信号を前記第１受動混合器へ送信するように構成され、
前記第１受動混合器は、前記第１局部周波数信号と、前記第２無線周波数帯を有する前記ダウンリンク無線周波数信号とを受信し、具体的には、前記第１受動混合器は、前記第１局部周波数信号と、前記分波器によって送信される、前記第２無線周波数帯を有する前記ダウンリンク無線周波数信号とを受信する、
請求項１に記載のＤＡＳ。
【請求項３】
前記遠端伝送デバイスはさらに、第２アンテナを有し、
前記合波器はさらに、前記信号源によって送信される、前記第１無線周波数帯を有する第２ダウンリンク無線周波数信号を受信し、前記第２ダウンリンク無線周波数信号を前記合波済みダウンリンク無線周波数信号の中に合波し、合波後に取得されるダウンリンク無線周波数信号を前記分波器へ送信するように構成され、
前記分波器はさらに、前記第１無線周波数帯を有する前記第２ダウンリンク無線周波数信号を取得し、次に、前記第１無線周波数帯を有する前記第２ダウンリンク無線周波数信号を前記第２アンテナへ送信するように構成され、
前記第２アンテナは、前記第１無線周波数帯を有する、受信された前記第２ダウンリンク無線周波数信号を伝送するように構成される、
請求項２に記載のＤＡＳ。
【請求項４】
前記近端信号生成デバイスはさらに、第２信号生成器および第２混合器を有し、前記遠端伝送デバイスはさらに、第２受動混合器および第３アンテナを有し、
前記第２信号生成器は、第２局部周波数信号を生成し、前記第２局部周波数信号を前記合波器へ送信するように構成され、
前記第２混合器は、前記信号源によって送信される、前記第１無線周波数帯を有する第３ダウンリンク無線周波数信号を受信するように構成され、
前記第２混合器はさらに、前記第２信号生成器によって送信される前記第２局部周波数信号を受信し、第３無線周波数帯を有するダウンリンク無線周波数信号を形成するために、前記第２局部周波数信号を使用することによって、前記第１無線周波数帯を有する前記第３ダウンリンク無線周波数信号に対して周波数混合処理を実行し、次に、前記第３無線周波数帯を有する前記ダウンリンク無線周波数信号を前記合波器へ送信するように、または、
第３無線周波数帯を有するダウンリンク無線周波数信号を形成するために、前記第２混合器によって生成される局部周波数信号を使用することによって、前記第１無線周波数帯を有する前記第３ダウンリンク無線周波数信号に対して周波数混合処理を実行し、次に、前記第３無線周波数帯を有する前記ダウンリンク無線周波数信号を前記合波器へ送信するように構成され、前記第３無線周波数帯と前記第１無線周波数帯とは互いに重複せず、
前記合波器はさらに、前記第２混合器によって送信される、前記第３無線周波数帯を有する前記ダウンリンク無線周波数信号と、前記第２信号生成器によって送信される前記第２局部周波数信号とを受信し、前記第３無線周波数帯を有する、受信された前記ダウンリンク無線周波数信号と、受信された前記第２局部周波数信号とを前記合波済みダウンリンク無線周波数信号の中に合波し、合波後に取得されるダウンリンク無線周波数信号を前記分波器へ送信するように構成され、
前記分波器はさらに、前記第３無線周波数帯を有する前記ダウンリンク無線周波数信号と前記第２局部周波数信号とを取得し、次に、前記第３無線周波数帯を有する前記ダウンリンク無線周波数信号と、前記第２局部周波数信号とを前記第２受動混合器へ送信するように構成され、
前記第２受動混合器は、前記第１無線周波数帯を有する前記第３ダウンリンク無線周波数信号を形成するために、前記第２局部周波数信号を使用することによって、前記第３無線周波数帯を有する前記ダウンリンク無線周波数信号に対して周波数混合処理を実行し、次に、前記第１無線周波数帯を有する前記第３ダウンリンク無線周波数信号を前記第３アンテナへ送信するように構成され、
前記第３アンテナは、前記第１無線周波数帯を有する、受信された前記第３ダウンリンク無線周波数信号を伝送するように構成される、
請求項２または３に記載のＤＡＳ。
【請求項５】
近端信号受信デバイスと、受動ＤＡＳ回線と、遠端受信デバイスとを備える分散アンテナシステムＤＡＳであって、前記近端信号受信デバイスは、信号送信先と、第１信号生成器と、第１混合器とを有し、前記遠端受信デバイスは、第１受動混合器および第１アンテナを有し、
前記第１信号生成器は、第１局部周波数信号を生成し、前記受動ＤＡＳ回線を使用することによって、前記第１局部周波数信号を前記第１受動混合器へ送信するように構成され、
前記第１アンテナは、第１無線周波数帯を有する第１アップリンク無線周波数信号を受信し、前記第１無線周波数帯を有する前記第１アップリンク無線周波数信号を前記第１受動混合器へ送信するように構成され、
前記第１受動混合器は、前記第１局部周波数信号を受信し、第２無線周波数帯を有するアップリンク無線周波数信号を形成するために、受信された前記第１局部周波数信号を使用することによって、前記第１無線周波数帯を有する前記第１アップリンク無線周波数信号に対して周波数混合処理を実行し、次に、前記受動ＤＡＳ回線を使用することによって、前記第２無線周波数帯を有する前記アップリンク無線周波数信号を前記第１混合器へ送信するように構成され、
前記第１混合器は、前記第２無線周波数帯を有する前記アップリンク無線周波数信号を受信するように構成され、
前記第１混合器はさらに、前記第１無線周波数帯を有する前記第１アップリンク無線周波数信号を形成するために、前記第１信号生成器によって生成される前記第１局部周波数信号を使用することによって、前記第２無線周波数帯を有する、受信された前記アップリンク無線周波数信号に対して、周波数混合処理を実行し、次に、前記第１無線周波数帯を有する前記第１アップリンク無線周波数信号を前記信号送信先へ送信するか、または、前記第１無線周波数帯を有する前記第１アップリンク無線周波数信号を形成するために、前記第１混合器によって生成される局部周波数信号を使用することによって、前記第２無線周波数帯を有する、受信された前記アップリンク無線周波数信号に対して周波数混合処理を実行し、次に、前記第１無線周波数帯を有する前記第１アップリンク無線周波数信号を前記信号送信先へ送信するように構成される、
ＤＡＳ。
【請求項６】
前記遠端受信デバイスはさらに、第２アンテナおよび第１合波器を有し、前記近端信号受信デバイスはさらに、第２分波器を有し、
前記第２アンテナは、前記第１無線周波数帯を有する第２アップリンク無線周波数信号を受信し、前記第１無線周波数帯を有する前記第２アップリンク無線周波数信号を前記第１合波器へ送信するように構成され、
前記第１受動混合器は、具体的には、前記第２無線周波数帯を有する前記アップリンク無線周波数信号を前記第１合波器へ送信するように構成され、
前記第１合波器は、前記第２アンテナによって送信される、前記第１無線周波数帯を有する前記第２アップリンク無線周波数信号と、前記第１受動混合器によって送信される、前記第２無線周波数帯を有する前記アップリンク無線周波数信号とを受信し、合波済みアップリンク無線周波数信号を形成するために、前記第１無線周波数帯を有する前記第２アップリンク無線周波数信号、および、前記第２無線周波数帯を有する前記アップリンク無線周波数信号に対して合波処理を実行し、次に、前記受動ＤＡＳ回線を使用することによって、前記合波済みアップリンク無線周波数信号を前記第２分波器へ送信するように構成され、前記第１無線周波数帯および前記第２無線周波数帯は互いに重複せず、
前記第２分波器は、前記合波済みアップリンク無線周波数信号を受信し、前記第１無線周波数帯を有する前記第２アップリンク無線周波数信号を取得するために、および、前記第２無線周波数帯を有する前記アップリンク無線周波数信号を取得するために、受信された前記合波済みアップリンク無線周波数信号における前記信号を分離し、次に、前記第１無線周波数帯を有する前記第２アップリンク無線周波数信号を前記信号送信先へ送信し、前記第２無線周波数帯を有する前記アップリンク無線周波数信号を前記第１混合器へ送信するように構成され、
前記第１混合器は、具体的には、前記第２分波器によって送信される、前記第２無線周波数帯を有する前記アップリンク無線周波数信号を受信するように構成される、
請求項５に記載のＤＡＳ。
【請求項７】
前記近端信号受信デバイスはさらに、第２信号生成器と、第２合波器と、第２混合器とを有し、前記遠端受信デバイスはさらに、第３アンテナと、第２受動混合器と、第１分波器とを有し、前記第２信号生成器は、第２局部周波数信号を生成し、前記第２局部周波数信号を前記第２合波器へ送信するように構成され、
前記第１信号生成器は、具体的には、前記第１局部周波数信号を前記第２合波器へ送信するように構成され、
前記第２合波器は、前記第１信号生成器によって送信される前記第１局部周波数信号と、前記第２信号生成器によって送信される前記第２局部周波数信号とを受信し、第１合波信号を形成するために、前記第１局部周波数信号および前記第２局部周波数信号に対して合波処理を実行し、次に、前記受動ＤＡＳ回線を使用することによって、前記第１合波信号を前記第１分波器へ送信するように構成され、
前記第１分波器は、前記第１合波信号を受信し、前記第１局部周波数信号を取得するために、および、前記第２局部周波数信号を取得するために、前記第１合波信号における前記信号を分離し、次に、前記第１局部周波数信号を前記第１受動混合器へ送信し、前記第２局部周波数信号を前記第２受動混合器へ送信するように構成され、
前記第１受動混合器は、具体的には、前記第１分波器によって送信される前記第１局部周波数信号を受信するように構成され、
前記第３アンテナは、前記第１無線周波数帯を有する第３アップリンク無線周波数信号を受信し、前記第１無線周波数帯を有する前記第３アップリンク無線周波数信号を前記第２受動混合器へ送信するように構成され、
前記第２受動混合器は、前記第１分波器によって送信される前記第２局部周波数信号と、前記第３アンテナによって送信される、前記第１無線周波数帯を有する前記第３アップリンク無線周波数信号とを受信し、第３無線周波数帯を有するアップリンク無線周波数信号を形成するために、前記第２局部周波数信号を使用することによって、前記第１無線周波数帯を有する前記第３アップリンク無線周波数信号に対して周波数混合処理を実行し、次に、前記第３無線周波数帯を有する前記アップリンク無線周波数信号を前記第１合波器へ送信するように構成され、前記第３無線周波数帯および前記第２無線周波数帯は、互いに重複せず、
前記第１合波器はさらに、前記第２受動混合器によって送信される、前記第３無線周波数帯を有する前記アップリンク無線周波数信号を受信し、前記第３無線周波数帯を有する前記アップリンク無線周波数信号を前記合波済みアップリンク無線周波数信号の中に合波し、前記受動ＤＡＳ回線を使用することによって、前記第２分波器に合波した後に取得されるアップリンク無線周波数信号を送信するように構成され、
前記第２分波器はさらに、前記第３無線周波数帯を有する前記アップリンク無線周波数信号を取得し、次に、前記第３無線周波数帯を有する前記アップリンク無線周波数信号を前記第２混合器へ送信するように構成され、
前記第２混合器は、前記第２分波器によって送信される、前記第３無線周波数帯を有する前記アップリンク無線周波数信号を受信するように構成され、
前記第２混合器はさらに、前記第１無線周波数帯を有する前記第３アップリンク無線周波数信号を形成するために、前記第２信号生成器によって生成される前記第２局部周波数信号を使用することによって、前記第３無線周波数帯を有する前記アップリンク無線周波数信号に対して周波数混合処理を実行し、次に、前記第１無線周波数帯を有する前記第３アップリンク無線周波数信号を前記信号送信先へ送信するように、または、
前記第１無線周波数帯を有する前記第３アップリンク無線周波数信号を形成するために、前記第２混合器によって生成される局部周波数信号を使用することによって、前記第３無線周波数帯を有する前記アップリンク無線周波数信号に対して周波数混合処理を実行し、次に、前記第１無線周波数帯を有する前記第３アップリンク無線周波数信号を前記信号送信先へ送信するように構成される、
請求項５または６に記載のＤＡＳ。
【請求項８】
分散アンテナシステムＤＡＳによって実行される信号伝送方法であって、前記ＤＡＳは、近端信号生成デバイスと、受動ＤＡＳ回線と、遠端伝送デバイスとを備え、前記近端信号生成デバイスは、信号源および第１信号生成器を有し、前記遠端伝送デバイスは、第１受動混合器および第１アンテナを有し、
前記方法は、
前記第１信号生成器が、第１局部周波数信号を生成し、前記受動ＤＡＳ回線を使用することによって前記第１局部周波数信号を前記第１受動混合器へ送信する段階と、
前記第１受動混合器が、前記第１局部周波数信号、および、第２無線周波数帯を有するダウンリンク無線周波数信号を受信する段階と、
前記第１受動混合器が、第１無線周波数帯を有する前記第１ダウンリンク無線周波数信号を形成するために、前記第１局部周波数信号を使用することによって、前記第２無線周波数帯を有する、受信された前記ダウンリンク無線周波数信号に対して周波数混合処理を実行し、次に、前記第１無線周波数帯を有する前記第１ダウンリンク無線周波数信号を前記第１アンテナへ送信する段階と、
前記第１アンテナが、前記第１無線周波数帯を有する、受信された前記第１ダウンリンク無線周波数信号を伝送する段階と
を備える信号伝送方法。
【請求項９】
前記近端信号生成デバイスはさらに、第１混合器および合波器を有し、前記遠端伝送デバイスはさらに、分波器を有し、
前記第１信号生成器が、前記第１局部周波数信号を前記第１受動混合器へ送信する前記段階は、具体的には、
前記第１信号生成器が、前記第１局部周波数信号を前記合波器へ送信し、前記合波器が、前記第１局部周波数信号を前記第１受動混合器へ送信する段階を有し、
第２無線周波数帯を有するダウンリンク無線周波数信号を前記第１受動混合器が受信する前記段階の前に、前記方法はさらに、
前記第１混合器が、前記信号源によって送信される、前記第１無線周波数帯を有する前記第１ダウンリンク無線周波数信号を受信する段階と、
前記第１混合器が、前記第１信号生成器によって生成される前記第１局部周波数信号を使用することによって、前記第１ダウンリンク無線周波数信号に対して周波数混合処理を実行し、周波数混合後に生成される前記第２無線周波数帯を有する前記ダウンリンク無線周波数信号を前記合波器へ送信するか、または、
前記第１混合器によって生成される局部周波数信号を使用することによって、前記第１ダウンリンク無線周波数信号に対して周波数混合処理を実行し、周波数混合後に生成される、前記第２無線周波数帯を有する前記ダウンリンク無線周波数信号を前記合波器へ送信する段階と、
前記合波器が、前記第２無線周波数帯を有する前記ダウンリンク無線周波数信号と、前記第１局部周波数信号とを受信し、合波済みダウンリンク無線周波数信号を形成するために、前記第２無線周波数帯を有する、受信された前記ダウンリンク無線周波数信号と、受信された前記第１局部周波数信号とを合波し、次に、前記受動ＤＡＳ回線を使用することによって、前記合波済みダウンリンク無線周波数信号を前記分波器へ送信する段階と、
前記分波器が、前記合波済みダウンリンク無線周波数信号を受信し、前記第２無線周波数帯を有する前記ダウンリンク無線周波数信号と、前記第１局部周波数信号とを取得するために、受信された前記合波済みダウンリンク無線周波数信号に含まれる前記信号を分離し、次に、前記第２無線周波数帯を有する前記ダウンリンク無線周波数信号と、前記第１局部周波数信号とを前記第１受動混合器へ送信する段階と
を有し、
前記第１受動混合器が、前記第１局部周波数信号と、第２無線周波数帯を有するダウンリンク無線周波数信号とを受信する前記段階は、具体的には、前記第１受動混合器が、前記分波器によって送信される、前記第１局部周波数信号と、前記第２無線周波数帯を有する前記ダウンリンク無線周波数信号とを受信する段階とを有する、
請求項８に記載の信号伝送方法。
【請求項１０】
前記遠端伝送デバイスはさらに、第２アンテナを有し、前記方法はさらに、
前記合波器が、前記信号源によって送信される、前記第１無線周波数帯を有する第２ダウンリンク無線周波数信号を受信し、前記第２ダウンリンク無線周波数信号を前記合波済みダウンリンク無線周波数信号の中に合波し、合波後に取得されるダウンリンク無線周波数信号を前記分波器へ送信する段階と、
前記分波器が、前記第１無線周波数帯を有する前記第２ダウンリンク無線周波数信号を取得し、次に、前記第１無線周波数帯を有する前記第２ダウンリンク無線周波数信号を前記第２アンテナへ送信する段階と、
前記第２アンテナが、前記第１無線周波数帯を有する、受信された前記第２ダウンリンク無線周波数信号を伝送する段階と
を備える、請求項９に記載の信号伝送方法。
【請求項１１】
前記近端信号生成デバイスはさらに、第２信号生成器および第２混合器を有し、前記遠端伝送デバイスはさらに、第２受動混合器および第３アンテナを有し、
前記方法はさらに、
前記第２信号生成器が、第２局部周波数信号を生成し、前記第２局部周波数信号を前記合波器へ送信する段階と、
前記第２混合器が、前記信号源によって送信される、前記第１無線周波数帯を有する第３ダウンリンク無線周波数信号を受信する段階と、
前記第２混合器が、前記第２信号生成器によって送信される前記第２局部周波数信号を受信し、第３無線周波数帯を有するダウンリンク無線周波数信号を形成するために、前記第２局部周波数信号を使用することによって、前記第１無線周波数帯を有する前記第３ダウンリンク無線周波数信号に対して周波数混合処理を実行し、次に、前記第３無線周波数帯を有する前記ダウンリンク無線周波数信号を前記合波器へ送信するか、または、
第３無線周波数帯を有するダウンリンク無線周波数信号を形成するために、前記第２混合器によって生成される局部周波数信号を使用することによって、前記第１無線周波数帯を有する前記第３ダウンリンク無線周波数信号に対して周波数混合処理を実行し、次に、前記第３無線周波数帯を有する前記ダウンリンク無線周波数信号を前記合波器へ送信する段階であって、前記第３無線周波数帯および前記第１無線周波数帯は互いに重複しない、段階と、
前記合波器が、前記第２混合器によって送信される、前記第３無線周波数帯を有する前記ダウンリンク無線周波数信号と、前記第２信号生成器によって送信される前記第２局部周波数信号とを受信し、前記第３無線周波数帯を有する、受信された前記ダウンリンク無線周波数信号と、受信された前記第２局部周波数信号とを前記合波済みダウンリンク無線周波数信号の中に合波し、合波後に取得されるダウンリンク無線周波数信号を前記分波器へ送信する段階と、
前記分波器が、前記第３無線周波数帯を有する前記ダウンリンク無線周波数信号と前記第２局部周波数信号とを取得し、次に、前記第３無線周波数帯を有する前記ダウンリンク無線周波数信号と前記第２局部周波数信号とを前記第２受動混合器へ送信する段階と、
前記第２受動混合器が、前記第１無線周波数帯を有する前記第３ダウンリンク無線周波数信号を形成するために、前記第２局部周波数信号を使用することによって、前記第３無線周波数帯を有する前記ダウンリンク無線周波数信号に対して周波数混合処理を実行し、次に、前記第１無線周波数帯を有する前記第３ダウンリンク無線周波数信号を前記第３アンテナへ送信する段階と、
前記第３アンテナが、前記第１無線周波数帯を有する、受信された前記第３ダウンリンク無線周波数信号を伝送する段階と
を備える、請求項９または１０に記載の信号伝送方法。
【請求項１２】
分散アンテナシステムＤＡＳによって実行される信号伝送方法であって、前記ＤＡＳは、近端信号受信デバイスと、受動ＤＡＳ回線と、遠端受信デバイスとを備え、前記近端信号受信デバイスは、信号送信先、第１信号生成器、および第１混合器を有し、前記遠端受信デバイスは、第１受動混合器および第１アンテナを有し、前記方法は、
前記第１信号生成器が、第１局部周波数信号を生成し、前記受動ＤＡＳ回線を使用することによって、前記第１局部周波数信号を前記第１受動混合器へ送信する段階と、
前記第１アンテナが、第１無線周波数帯を有する第１アップリンク無線周波数信号を受信し、前記第１無線周波数帯を有する前記第１アップリンク無線周波数信号を前記第１受動混合器へ送信する段階と、
前記第１受動混合器が、前記第１局部周波数信号を受信し、第２無線周波数帯を有するアップリンク無線周波数信号を形成するために、受信された前記第１局部周波数信号を使用することによって、前記第１無線周波数帯を有する前記第１アップリンク無線周波数信号に対して周波数混合処理を実行し、次に、前記受動ＤＡＳ回線を使用することによって、前記第２無線周波数帯を有する前記アップリンク無線周波数信号を前記第１混合器へ送信する段階と、
前記第１混合器が、前記第２無線周波数帯を有する前記アップリンク無線周波数信号を受信する段階と、
前記第１混合器が、前記第１無線周波数帯を有する前記第１アップリンク無線周波数信号を形成するために、前記第１信号生成器によって生成される前記第１局部周波数信号を使用することによって、前記第２無線周波数帯を有する、受信された前記アップリンク無線周波数信号に対して、周波数混合処理を実行し、次に、前記第１無線周波数帯を有する前記第１アップリンク無線周波数信号を前記信号送信先へ送信するか、または、
前記第１無線周波数帯を有する前記第１アップリンク無線周波数信号を形成するために、前記第１混合器によって生成される局部周波数信号を使用することによって、前記第２無線周波数帯を有する、受信された前記アップリンク無線周波数信号に対して周波数混合処理を実行し、次に、前記第１無線周波数帯を有する前記第１アップリンク無線周波数信号を前記信号送信先へ送信する段階と
を備える信号伝送方法。
【請求項１３】
前記遠端受信デバイスはさらに、第２アンテナおよび第１合波器を有し、前記近端信号受信デバイスはさらに、第２分波器を有し、
前記第１受動混合器が、前記第２無線周波数帯を有する前記アップリンク無線周波数信号を前記第１混合器へ送信する前記段階は、具体的には、前記第１受動混合器が、前記第２無線周波数帯を有する前記アップリンク無線周波数信号を前記第１合波器へ送信する段階を有し、
前記方法はさらに、
前記第２アンテナが、前記第１無線周波数帯を有する第２アップリンク無線周波数信号を受信し、前記第１無線周波数帯を有する前記第２アップリンク無線周波数信号を前記第１合波器へ送信する段階と、
前記第１合波器が、前記第２アンテナによって送信される、前記第１無線周波数帯を有する前記第２アップリンク無線周波数信号と、前記第１受動混合器によって送信される、前記第２無線周波数帯を有する前記アップリンク無線周波数信号とを受信し、合波済みアップリンク無線周波数信号を形成するために、前記第１無線周波数帯を有する前記第２アップリンク無線周波数信号、および、前記第２無線周波数帯を有する前記アップリンク無線周波数信号に対して合波処理を実行し、次に、前記受動ＤＡＳ回線を使用することによって、前記合波済みアップリンク無線周波数信号を前記第２分波器へ送信する段階であって、前記第１無線周波数帯および前記第２無線周波数帯は互いに重複しない、段階と、
前記第２分波器が、前記合波済みアップリンク無線周波数信号を受信し、前記第１無線周波数帯を有する前記第２アップリンク無線周波数信号を取得するために、および、前記第２無線周波数帯を有する前記アップリンク無線周波数信号を取得するために、受信された前記合波済みアップリンク無線周波数信号における前記信号を分離し、次に、前記第１無線周波数帯を有する前記第２アップリンク無線周波数信号を前記信号送信先へ送信し、第２無線周波数帯を有する前記アップリンク無線周波数信号を前記第１混合器へ送信する段階と、
を備え、
前記第１混合器が、前記第２無線周波数帯を有する前記アップリンク無線周波数信号を受信する前記段階は、具体的には、前記第１混合器が、前記第２分波器によって送信される、前記第２無線周波数帯を有する前記アップリンク無線周波数信号を受信する段階を有する、
請求項１２に記載の信号伝送方法。
【請求項１４】
前記近端信号受信デバイスはさらに、第２信号生成器と、第２合波器と、第２混合器とを有し、前記遠端受信デバイスはさらに、第３アンテナと、第２受動混合器と、第１分波器とを有し、
前記第１信号生成器が、前記第１局部周波数信号を送信する前記段階は、具体的には、前記第１信号生成器が、前記第１局部周波数信号を前記第２合波器へ送信する段階を有し、
前記方法はさらに、
前記第２信号生成器が、第２局部周波数信号を生成し、前記第２局部周波数信号を前記第２合波器へ送信する段階と、
前記第２合波器が、前記第１信号生成器によって送信される前記第１局部周波数信号と、前記第２信号生成器によって送信される前記第２局部周波数信号とを受信し、第１合波信号を形成するために、前記第１局部周波数信号および前記第２局部周波数信号に対して合波処理を実行し、次に、前記受動ＤＡＳ回線を使用することによって、前記第１合波信号を前記第１分波器へ送信する段階と、
前記第１分波器が、前記第１合波信号を受信し、前記第１局部周波数信号を取得するために、および、前記第２局部周波数信号を取得するために、前記第１合波信号における前記信号を分離し、次に、前記第１局部周波数信号を前記第１受動混合器へ送信し、前記第２局部周波数信号を前記第２受動混合器へ送信する段階と、
前記第３アンテナが、前記第１無線周波数帯を有する第３アップリンク無線周波数信号を受信し、前記第１無線周波数帯を有する前記第３アップリンク無線周波数信号を前記第２受動混合器へ送信する段階と、
前記第２受動混合器が、前記第１分波器によって送信される前記第２局部周波数信号と、前記第３アンテナによって送信される、前記第１無線周波数帯を有する前記第３アップリンク無線周波数信号とを受信し、第３無線周波数帯を有するアップリンク無線周波数信号を形成するために、前記第２局部周波数信号を使用することによって、前記第１無線周波数帯を有する前記第３アップリンク無線周波数信号に対して周波数混合処理を実行し、次に、前記第３無線周波数帯を有する前記アップリンク無線周波数信号を前記第１合波器へ送信する段階であって、前記第３無線周波数帯および前記第２無線周波数帯は互いに重複しない、段階と、
前記第１合波器が、前記第２受動混合器によって送信される、前記第３無線周波数帯を有する前記アップリンク無線周波数信号を受信し、前記第３無線周波数帯を有する前記アップリンク無線周波数信号を前記合波済みアップリンク無線周波数信号の中に合波し、前記受動ＤＡＳ回線を使用することによって、合波した後に取得されたアップリンク無線周波数信号を前記第２分波器へ送信する段階と、
前記第２分波器が、前記第３無線周波数帯を有する前記アップリンク無線周波数信号を取得し、次に、前記第３無線周波数帯を有する前記アップリンク無線周波数信号を前記第２混合器へ送信する段階と、
前記第２混合器が、前記第２分波器によって送信される、前記第３無線周波数帯を有する前記アップリンク無線周波数信号を受信する段階と、
前記第２混合器が、前記第１無線周波数帯を有する前記第３アップリンク無線周波数信号を形成するために、前記第２信号生成器によって生成される前記第２局部周波数信号を使用することによって、前記第３無線周波数帯を有する前記アップリンク無線周波数信号に対して周波数混合処理を実行し、次に、前記第１無線周波数帯を有する前記第３アップリンク無線周波数信号を前記信号送信先へ送信するか、または、
前記第１無線周波数帯を有する前記第３アップリンク無線周波数信号を形成するために、前記第２混合器によって生成される局部周波数信号を使用することによって、前記第３無線周波数帯を有する前記アップリンク無線周波数信号に対して周波数混合処理を実行し、次に、前記第１無線周波数帯を有する前記第３アップリンク無線周波数信号を前記信号送信先へ送信する段階と
を備える、請求項１３に記載の信号伝送方法。
【発明の詳細な説明】
【技術分野】
【０００１】
本願は、「分散アンテナシステムおよび信号伝送方法」と題する、２０１５年６月２９日に中華人民共和国国家知識産権局に出願された中国特許出願第２０１５１０３６８７６５．５号に基づく優先権を主張するものであり、その全体は参照によって本明細書に組み込まれる。
【０００２】
本発明は、通信技術の分野に関連し、特に、分散アンテナシステムおよび信号伝送方法に関する。
【背景技術】
【０００３】
屋内カバレッジの問題を解決するために、現在、分散アンテナシステム（Ｄｉｓｔｒｉｂｕｔｅｄ  Ａｎｔｅｎｎａ  Ｓｙｓｔｅｍ、略称：ＤＡＳ）が、ほとんどの都市における建物（例えば、ショッピングモール、映画館、スタジアム、または、大規模オフィスビル）内に配置されている。屋内サービスの総量の継続的な増加に伴い、多くの事業者は、既存のＤＡＳシステムの容量を早急に拡張する必要がある。
【０００４】
現在、ＤＡＳシステムのシステム容量は通常、ＤＡＳシステムにおいて２つまたは複数の信号を伝送することによって増やされる。例えば、ＤＡＳ回線を使用することによる遠端アンテナへの伝送のための、異なる周波数帯を有する信号を形成するために、基地局によって送信される複数の信号に対して、周波数変換処理が近端において実行される。異なる周波数帯を有するこれらの信号に対する復調処理が遠端アンテナにおいて実行され、信号は複数のアンテナを使用することによって伝送される。このように、複数の信号が伝送され、それにより、ＤＡＳシステムの容量を拡張する。
【０００５】
例えば、図１は、２つの信号が伝送される既存のＤＡＳの概略図である。図１に示されるように、近端において、混合器および分波器／合波器が提供される。混合器は、元の信号に対して周波数混合処理を実行することに使用され、元の信号Ｓ１と異なる信号Ｓ２を形成し、信号Ｓ２は次に、分波器／合波器へ伝送される。分波器／合波器は、別の元の信号と、周波数混合後に生成された信号とを合波し、次に、ＤＡＳ回線を使用することによって、合波信号を遠端へ伝送する。分波器／合波器、能動混合器、および複数のアンテナは、遠端において提供される。分波器／合波器は、ＤＡＳによって送信された信号を受信した後、フィルタリングを用いることによって、元の信号Ｓ１と、周波数変換後に取得された信号Ｓ２とを取得し、アンテナを使用して元の信号を伝送し、信号Ｓ２を能動混合器へ送信する。能動混合器は、元の信号Ｓ１に戻すために信号Ｓ２を処理し、別のアンテナを使用することによって元の信号Ｓ１を伝送する。このように、システム容量を増やすために、ダブルストリーム伝送が実装される。
【０００６】
しかしながら、既存のＤＡＳシステムにおいて、遠端において提供される混合器は通常、能動混合器である。能動混合器は、（図１に示されるような）近端における電源ユニットを使用することによって電力供給される必要がある。しかしながら、電気信号は、既存のＤＡＳ内のＤＡＳ回線上で伝送できない。従って、電気信号を伝送するには、電源デバイスが電力を能動混合器に供給するように、既存のＤＡＳ回線上のデバイスが適合される（例えば、能動デバイスで置き換えられる）必要があるか、または、ケーブルが再度敷かれる必要がある。しかしながら、ＤＡＳ回線上のすべての受動デバイスは、屋内天井などの特殊な場所に配置され、電源ユニットは、能動混合器から比較的遠い機器室に位置する。従って、既存のＤＡＳ回線上のデバイスを適合する（例えば、デバイスを能動デバイスと置き換える）、または、ケーブルを敷く方式は、施工の難易度が高く費用が高いという問題をもたらす。
【発明の概要】
【０００７】
上述の問題を解決ために、本発明では、既存のＤＡＳの伝送アーキテクチャが革新され、電力がＤＡＳ内の遠端における能動混合器へ供給される既存の解決法がもたらす、施工の難易度が高く費用が高いという問題を解決するための分散アンテナシステムおよび信号伝送方法が提供される。
【０００８】
本発明の実施形態において、以下の技術的解決法が使用される。
【０００９】
第１態様によれば、本発明の実施形態は、近端信号生成デバイス、受動ＤＡＳ回線、および遠端伝送デバイスを備える分散アンテナシステムＤＡＳを提供し、近端信号生成デバイスは、信号源および第１信号生成器を有し、遠端伝送デバイスは、第１受動混合器および第１アンテナを有し、第１信号生成器は、第１局部周波数信号を生成し、受動ＤＡＳ回線を使用することによって第１局部周波数信号を第１受動混合器へ送信するように構成され、第１受動混合器は、第１局部周波数信号と、第２無線周波数帯を有するダウンリンク無線周波数信号とを受信するように構成され、第１受動混合器はさらに、第１無線周波数帯を有する第１ダウンリンク無線周波数信号を形成するために、第１局部周波数信号を使用することによって、第２無線周波数帯を有する、受信されたダウンリンク無線周波数信号に対して周波数混合処理を実行し、次に、第１無線周波数帯を有する第１ダウンリンク無線周波数信号を第１アンテナへ送信するように構成され、第１アンテナは、第１無線周波数帯を有する、受信された第１ダウンリンク無線周波数信号を伝送するように構成される。
【００１０】
第１態様に関連して、第１態様の第１実装において、近端信号生成デバイスはさらに、第１混合器および合波器を有し、遠端伝送デバイスはさらに、分波器を有し、第１混合器は、信号源によって送信される、第１無線周波数帯を有する第１ダウンリンク無線周波数信号を受信するように構成され、第１混合器はさらに、第１信号生成器によって生成される第１局部周波数信号を使用することによって、第１ダウンリンク無線周波数信号に対して周波数混合処理を実行し、周波数混合後に生成される、第２無線周波数帯を有するダウンリンク無線周波数信号を合波器へ送信するように、または、第１混合器によって生成される局部周波数信号を使用することによって第１ダウンリンク無線周波数信号に対して周波数混合処理を実行し、周波数混合後に生成される、第２無線周波数帯を有するダウンリンク無線周波数信号を合波器へ送信するように構成され、第１信号生成器は、具体的には、第１局部周波数信号を合波器へ送信するように構成され、合波器は、第２無線周波数帯を有するダウンリンク無線周波数信号と第１局部周波数信号とを受信し、合波済みダウンリンク無線周波数信号を形成するために、第２無線周波数帯を有する、受信されたダウンリンク無線周波数信号と、受信された第１局部周波数信号とを合波し、次に、受動ＤＡＳ回線を使用することによって、合波済みダウンリンク無線周波数信号を分波器へ送信するように構成され、分波器は、合波済みダウンリンク無線周波数信号を受信し、第２無線周波数帯を有するダウンリンク無線周波数信号と、第１局部周波数信号とを取得するために、受信された合波済みダウンリンク無線周波数信号に含まれる信号を分離し、次に、第２無線周波数帯有するダウンリンク無線周波数信号と、第１局部周波数信号とを第１受動混合器へ送信するように構成され、第１受動混合器は、第１局部周波数信号と、第２無線周波数帯を有するダウンリンク無線周波数信号とを受信し、具体的には、第１受動混合器は、第１局部周波数信号と、分波器によって送信される、第２無線周波数帯を有するダウンリンク無線周波数信号とを受信する。
【００１１】
第１態様の第１実装に関連して、第１態様の第２実装において、遠端伝送デバイスはさらに、第２アンテナを有し、合波器はさらに、信号源によって送信される、第１無線周波数帯を有する第２ダウンリンク無線周波数信号を受信し、第２ダウンリンク無線周波数信号を合波済みダウンリンク無線周波数信号の中に合波し、合波後に取得されるダウンリンク無線周波数信号を分波器へ送信するように構成され、分波器はさらに、第１無線周波数帯を有する第２ダウンリンク無線周波数信号を取得し、次に、第１無線周波数帯を有する第２ダウンリンク無線周波数信号を第２アンテナへ送信するように構成され、第２アンテナは、第１無線周波数帯を有する、受信された第２ダウンリンク無線周波数信号を伝送するように構成される。
【００１２】
第１態様の第１実装、または、第１態様の第２実装に関連して、第１態様の第３実装において、近端信号生成デバイスはさらに、第２信号生成器および第２混合器を有し、遠端伝送デバイスはさらに、第２受動混合器および第３アンテナを有し、第２信号生成器は、第２局部周波数信号を生成し、第２局部周波数信号を合波器へ送信するように構成され、第２混合器は、信号源によって送信される、第１無線周波数帯を有する第３ダウンリンク無線周波数信号を受信するように構成され、第２混合器はさらに、第２信号生成器によって送信される第２局部周波数信号を受信し、第３無線周波数帯を有するダウンリンク無線周波数信号を形成するために、第２局部周波数信号を使用することによって、第１無線周波数帯を有する第３ダウンリンク無線周波数信号に対して周波数混合処理を実行し、次に、第３無線周波数帯を有するダウンリンク無線周波数信号を合波器へ送信するように、または、第３無線周波数帯を有するダウンリンク無線周波数信号を形成するために、第２混合器によって生成される局部周波数信号を使用することによって、第１無線周波数帯を有する第３ダウンリンク無線周波数信号に対して周波数混合処理を実行し、次に、第３無線周波数帯を有するダウンリンク無線周波数信号を合波器へ送信するように構成され、第３無線周波数帯と第１無線周波数帯とは互いに重複せず、合波器はさらに、第２混合器によって送信される、第３無線周波数帯を有するダウンリンク無線周波数信号と、第２信号生成器によって送信される第２局部周波数信号とを受信し、第３無線周波数帯を有する、受信されたダウンリンク無線周波数信号と、受信された第２局部周波数信号とを合波済みダウンリンク無線周波数信号の中に合波し、合波後に取得されるダウンリンク無線周波数信号を分波器へ送信するように構成され、分波器はさらに、第３無線周波数帯を有するダウンリンク無線周波数信号と第２局部周波数信号とを取得し、次に、第３無線周波数帯を有するダウンリンク無線周波数信号と、第２局部周波数信号とを第２受動混合器へ送信するように構成され、第２受動混合器は、第１無線周波数帯を有する第３ダウンリンク無線周波数信号を形成するために、第２局部周波数信号を使用することによって、第３無線周波数帯を有するダウンリンク無線周波数信号に対して周波数混合処理を実行し、次に、第１無線周波数帯を有する第３ダウンリンク無線周波数信号を第３アンテナへ送信するように構成され、第３アンテナは、第１無線周波数帯を有する、受信された第３ダウンリンク無線周波数信号を伝送するように構成される。
【００１３】
第２態様によれば、本発明の実施形態は、近端信号受信デバイス、受動ＤＡＳ回線、および遠端受信デバイスを備える分散アンテナシステムＤＡＳを提供し、近端信号受信デバイスは、信号送信先と、第１信号生成器と、第１混合器とを有し、遠端受信デバイスは、第１受動混合器および第１アンテナを有し、第１信号生成器は、第１局部周波数信号を生成し、受動ＤＡＳ回線を使用することによって、第１局部周波数信号を第１受動混合器へ送信するように構成され、第１アンテナは、第１無線周波数帯を有する第１アップリンク無線周波数信号を受信し、第１無線周波数帯を有する第１アップリンク無線周波数信号を第１受動混合器へ送信するように構成され、第１受動混合器は、第１局部周波数信号を受信し、第２無線周波数帯を有するアップリンク無線周波数信号を形成するために、受信された第１局部周波数信号を使用することによって、第１無線周波数帯を有する第１アップリンク無線周波数信号に対して周波数混合処理を実行し、次に、受動ＤＡＳ回線を使用することによって、第２無線周波数帯を有するアップリンク無線周波数信号を第１混合器へ送信するように構成され、第１混合器は、第２無線周波数帯を有するアップリンク無線周波数信号を受信するように構成され、第１混合器はさらに、第１無線周波数帯を有する第１アップリンク無線周波数信号を形成するために、第１信号生成器によって生成される第１局部周波数信号を使用することによって、第２無線周波数帯を有する、受信されたアップリンク無線周波数信号に対して、周波数混合処理を実行し、次に、第１無線周波数帯を有する第１アップリンク無線周波数信号を信号送信先へ送信するように、または、第１無線周波数帯を有する第１アップリンク無線周波数信号を形成するために、第１混合器によって生成される局部周波数信号を使用することによって、第２無線周波数帯を有する、受信されたアップリンク無線周波数信号に対して周波数混合処理を実行し、次に、第１無線周波数帯を有する第１アップリンク無線周波数信号を信号送信先へ送信するように構成される。
【００１４】
第２態様に関連して、第２態様の第１実装において、遠端受信デバイスはさらに、第２アンテナおよび第１合波器を有し、近端信号受信デバイスはさらに、第２分波器を有し、第２アンテナは、第１無線周波数帯を有する第２アップリンク無線周波数信号を受信し、第１無線周波数帯を有する第２アップリンク無線周波数信号を第１合波器へ送信するように構成され、第１受動混合器は、具体的には、第２無線周波数帯を有するアップリンク無線周波数信号を第１合波器へ送信するように構成され、第１合波器は、第２アンテナによって送信される、第１無線周波数帯を有する第２アップリンク無線周波数信号と、第１受動混合器によって送信される、第２無線周波数帯を有するアップリンク無線周波数信号とを受信し、合波済みアップリンク無線周波数信号を形成するために、第１無線周波数帯を有する第２アップリンク無線周波数信号、および、第２無線周波数帯を有するアップリンク無線周波数信号に対して合波処理を実行し、次に、受動ＤＡＳ回線を使用することによって、合波済みアップリンク無線周波数信号を第２分波器へ送信するように構成され、第１無線周波数帯および第２無線周波数帯は互いに重複せず、第２分波器は、合波済みアップリンク無線周波数信号を受信し、第１無線周波数帯を有する第２アップリンク無線周波数信号を取得するために、および、第２無線周波数帯を有するアップリンク無線周波数信号を取得するために、受信された合波済みアップリンク無線周波数信号における信号を分離し、次に、第１無線周波数帯を有する第２アップリンク無線周波数信号を信号送信先へ送信し、第２無線周波数帯を有するアップリンク無線周波数信号を第１混合器へ送信するように構成され、第１混合器は、具体的には、第２分波器によって送信される、第２無線周波数帯を有するアップリンク無線周波数信号を受信するように構成される。
【００１５】
第２態様の第１実装、または、第２態様の第２実装に関連して、第２態様の第２実装において、近端信号受信デバイスはさらに、第２信号生成器と、第２合波器と、第２混合器とを有し、遠端受信デバイスはさらに、第３アンテナと、第２受動混合器と、第１分波器とを有し、第２信号生成器は、第２局部周波数信号を生成し、第２局部周波数信号を第２合波器へ送信するように構成され、第１信号生成器は、具体的には、第１局部周波数信号を第２合波器へ送信するように構成され、第２合波器は、第１信号生成器によって送信される第１局部周波数信号と、第２信号生成器によって送信される第２局部周波数信号とを受信し、第１合波信号を形成するために、第１局部周波数信号および第２局部周波数信号に対して合波処理を実行し、次に、受動ＤＡＳ回線を使用することによって、第１合波信号を第１分波器へ送信するように構成され、第１分波器は、第１合波信号を受信し、第１局部周波数信号を取得するために、および、第２局部周波数信号を取得するために、第１合波信号における信号を分離し、次に、第１局部周波数信号を第１受動混合器へ送信し、第２局部周波数信号を第２受動混合器へ送信するように構成され、第１受動混合器は、具体的には、第１分波器によって送信される第１局部周波数信号を受信するように構成され、第３アンテナは、第１無線周波数帯を有する第３アップリンク無線周波数信号を受信し、第１無線周波数帯を有する第３アップリンク無線周波数信号を第２受動混合器へ送信するように構成され、第２受動混合器は、第１分波器によって送信される第２局部周波数信号と、第３アンテナによって送信される、第１無線周波数帯を有する第３アップリンク無線周波数信号とを受信し、第３無線周波数帯を有するアップリンク無線周波数信号を形成するために、第２局部周波数信号を使用することによって、第１無線周波数帯を有する第３アップリンク無線周波数信号に対して周波数混合処理を実行し、次に、第３無線周波数帯を有するアップリンク無線周波数信号を第１合波器へ送信するように構成され、第３無線周波数帯および第２無線周波数帯は、互いに重複せず、第１合波器はさらに、第２受動混合器によって送信される、第３無線周波数帯を有するアップリンク無線周波数信号を受信し、第３無線周波数帯を有するアップリンク無線周波数信号を合波済みアップリンク無線周波数信号の中に合波し、受動ＤＡＳ回線を使用することによって、第２分波器に合波した後に取得されるアップリンク無線周波数信号を送信するように構成され、第２分波器はさらに、第３無線周波数帯を有するアップリンク無線周波数信号を取得し、次に、第３無線周波数帯を有するアップリンク無線周波数信号を第２混合器へ送信するように構成され、第２混合器は、第２分波器によって送信される、第３無線周波数帯を有するアップリンク無線周波数信号を受信するように構成され、第２混合器はさらに、第１無線周波数帯を有する第３アップリンク無線周波数信号を形成するために、第２信号生成器によって生成される第２局部周波数信号を使用することによって、第３無線周波数帯を有するアップリンク無線周波数信号に対して周波数混合処理を実行し、次に、第１無線周波数帯を有する前記第３アップリンク無線周波数信号を信号送信先へ送信するように、または、第１無線周波数帯を有する第３アップリンク無線周波数信号を形成するために、第２混合器によって生成される局部周波数信号を使用することによって、第３無線周波数帯を有するアップリンク無線周波数信号に対して周波数混合処理を実行し、次に、第１無線周波数帯を有する第３アップリンク無線周波数信号を信号送信先へ送信するように構成される。
【００１６】
第３態様によれば、本発明の実施形態は、分散アンテナシステムＤＡＳによって実行される信号伝送方法を提供し、ＤＡＳは、近端信号生成デバイスと、受動ＤＡＳ回線と、遠端伝送デバイスとを備え、近端信号生成デバイスは、信号源および第１信号生成器を有し、遠端伝送デバイスは、第１受動混合器および第１アンテナを有し、方法は、第１信号生成器が、第１局部周波数信号を生成し、受動ＤＡＳ回線を使用することによって第１局部周波数信号を第１受動混合器へ送信する段階と、第１受動混合器が、第１局部周波数信号、および、第２無線周波数帯を有するダウンリンク無線周波数信号を受信する段階と、第１受動混合器がさらに、第１無線周波数帯を有する第１ダウンリンク無線周波数信号を形成するために、第１局部周波数信号を使用することによって、第２無線周波数帯を有する、受信されたダウンリンク無線周波数信号に対して周波数混合処理を実行し、次に、第１無線周波数帯を有する第１ダウンリンク無線周波数信号を第１アンテナへ送信する段階と、第１アンテナが、第１無線周波数帯を有する、受信された第１ダウンリンク無線周波数信号を伝送する段階とを備える。
【００１７】
第３態様に関連して、第３態様の第１実装において、近端信号生成デバイスはさらに、第１混合器および合波器を有し、遠端伝送デバイスはさらに、分波器を有し、第１信号生成器が、第１局部周波数信号を第１受動混合器へ送信する段階は、具体的には、第１信号生成器が、第１局部周波数信号を合波器へ送信し、合波器が、第１局部周波数信号を第１受動混合器へ送信する段階を有し、第２無線周波数帯を有するダウンリンク無線周波数信号を第１受動混合器が受信する段階の前に、方法はさらに、第１混合器が、信号源によって送信される、第１無線周波数帯を有する第１ダウンリンク無線周波数信号を受信する段階と、第１混合器が、第１信号生成器によって生成される第１局部周波数信号を使用することによって、第１ダウンリンク無線周波数信号に対して周波数混合処理を実行し、周波数混合後に生成される第２無線周波数帯を有するダウンリンク無線周波数信号を合波器へ送信するか、または、第１混合器によって生成される局部周波数信号を使用することによって、第１ダウンリンク無線周波数信号に対して周波数混合処理を実行し、周波数混合後に生成される、第２無線周波数帯を有するダウンリンク無線周波数信号を合波器へ送信する段階と、合波器が、第２無線周波数帯を有するダウンリンク無線周波数信号と、第１局部周波数信号とを受信し、合波済みダウンリンク無線周波数信号を形成するために、第２無線周波数帯を有する、受信されたダウンリンク無線周波数信号と、受信された第１局部周波数信号とを合波し、次に、受動ＤＡＳ回線を使用することによって、合波済みダウンリンク無線周波数信号を分波器へ送信する段階と、分波器が、合波済みダウンリンク無線周波数信号を受信し、第２無線周波数帯を有するダウンリンク無線周波数信号と、第１局部周波数信号とを取得するために、受信された合波済みダウンリンク無線周波数信号に含まれる信号を分離し、次に、第２無線周波数帯を有するダウンリンク無線周波数信号と、第１局部周波数信号とを第１受動混合器へ送信する段階を有し、第１受動混合器が、第１局部周波数信号と、第２無線周波数帯を有するダウンリンク無線周波数信号とを受信する段階は、具体的には、第１受動混合器が、分波器によって送信される、第１局部周波数信号と、第２無線周波数帯を有するダウンリンク無線周波数信号とを受信する段階を有する。
【００１８】
第３態様の第１実装に関連して、第３態様の第２実装において、遠端伝送デバイスはさらに、第２アンテナを有し、方法はさらに、合波器が、信号源によって送信される、第１無線周波数帯を有する第２ダウンリンク無線周波数信号を受信し、第２ダウンリンク無線周波数信号を合波済みダウンリンク無線周波数信号の中に合波し、合波後に取得されるダウンリンク無線周波数信号を分波器へ送信する段階と、分波器が、第１無線周波数帯を有する第２ダウンリンク無線周波数信号を取得し、次に、第１無線周波数帯を有する第２ダウンリンク無線周波数信号を第２アンテナへ送信する段階と、第２アンテナが、第１無線周波数帯を有する、受信された第２ダウンリンク無線周波数信号を伝送する段階とを備える。
【００１９】
第３態様の第１実装、または、第３態様の第２実装に関連して、第３態様の第３実装において、近端信号生成デバイスはさらに、第２信号生成器および第２混合器を有し、遠端伝送デバイスはさらに、第２受動混合器および第３アンテナを有し、方法はさらに、第２信号生成器が、第２局部周波数信号を生成し、第２局部周波数信号を合波器へ送信する段階と、第２混合器が、信号源によって送信される、第１無線周波数帯を有する第３ダウンリンク無線周波数信号を受信する段階と、第２混合器が、第２信号生成器によって送信される第２局部周波数信号を受信し、第３無線周波数帯を有するダウンリンク無線周波数信号を形成するために、第２局部周波数信号を使用することによって、第１無線周波数帯を有する第３ダウンリンク無線周波数信号に対して周波数混合処理を実行し、次に、第３無線周波数帯を有するダウンリンク無線周波数信号を合波器へ送信するか、または、第３無線周波数帯を有するダウンリンク無線周波数信号を形成するために、第２混合器によって生成される局部周波数信号を使用することによって、第１無線周波数帯を有する第３ダウンリンク無線周波数信号に対して周波数混合処理を実行し、次に、第３無線周波数帯を有するダウンリンク無線周波数信号を合波器へ送信する段階であって、第３無線周波数帯と第１無線周波数帯とは互いに重複しない、段階と、合波器が、第２混合器によって送信される、第３無線周波数帯を有するダウンリンク無線周波数信号と、第２信号生成器によって送信される第２局部周波数信号とを受信し、第３無線周波数帯を有する、受信されたダウンリンク無線周波数信号と、受信された第２局部周波数信号とを合波済みダウンリンク無線周波数信号の中に合波し、合波後に取得されるダウンリンク無線周波数信号を分波器へ送信する段階と、分波器が、第３無線周波数帯を有するダウンリンク無線周波数信号と第２局部周波数信号とを取得し、次に、第３無線周波数帯を有するダウンリンク無線周波数信号と、第２局部周波数信号とを第２受動混合器へ送信する段階と、第２受動混合器が、第１無線周波数帯を有する第３ダウンリンク無線周波数信号を形成するために、第２局部周波数信号を使用することによって、第３無線周波数帯を有するダウンリンク無線周波数信号に対して周波数混合処理を実行し、次に、第１無線周波数帯を有する第３ダウンリンク無線周波数信号を第３アンテナへ送信する段階と、第３アンテナが、第１無線周波数帯を有する、受信された第３ダウンリンク無線周波数信号を伝送する段階とを備える。
【００２０】
第４態様によれば、本発明の実施形態は、分散アンテナシステムＤＡＳによって実行される信号伝送方法を提供し、ＤＡＳは、近端信号受信デバイスと、受動ＤＡＳ回線と、遠端受信デバイスとを備え、近端信号受信デバイスは、信号送信先と、第１信号生成器と、第１混合器とを有し、遠端受信デバイスは、第１受動混合器および第１アンテナを有し、方法は、第１信号生成器が、第１局部周波数信号を生成し、受動ＤＡＳ回線を使用することによって、第１局部周波数信号を第１受動混合器へ送信する段階と、第１アンテナが、第１無線周波数帯を有する第１アップリンク無線周波数信号を受信し、第１無線周波数帯を有する第１アップリンク無線周波数信号を第１受動混合器へ送信する段階と、第１受動混合器が、第１局部周波数信号を受信し、第２無線周波数帯を有するアップリンク無線周波数信号を形成するために、受信された第１局部周波数信号を使用することによって、第１無線周波数帯を有する第１アップリンク無線周波数信号に対して周波数混合処理を実行し、次に、受動ＤＡＳ回線を使用することによって、第２無線周波数帯を有するアップリンク無線周波数信号を第１混合器へ送信する段階と、第１混合器が、第２無線周波数帯を有するアップリンク無線周波数信号を受信する段階と、第１混合器が、第１無線周波数帯を有する第１アップリンク無線周波数信号を形成するために、第１信号生成器によって生成される第１局部周波数信号を使用することによって、第２無線周波数帯を有する、受信されたアップリンク無線周波数信号に対して、周波数混合処理を実行し、次に、第１無線周波数帯を有する第１アップリンク無線周波数信号を信号送信先へ送信するか、または、第１無線周波数帯を有する第１アップリンク無線周波数信号を形成するために、第１混合器によって生成される局部周波数信号を使用することによって、第２無線周波数帯を有する、受信されたアップリンク無線周波数信号に対して周波数混合処理を実行し、次に、第１無線周波数帯を有する第１アップリンク無線周波数信号を信号送信先へ送信する段階とを備える。
【００２１】
第４態様に関連して、第４態様の第１実装において、遠端受信デバイスはさらに、第２アンテナおよび第１合波器を有し、近端信号受信デバイスはさらに、第２分波器を有し、第１受動混合器が、第２無線周波数帯を有するアップリンク無線周波数信号を第１混合器へ送信する段階は、具体的には、第１受動混合器が、第２無線周波数帯を有するアップリンク無線周波数信号を第１合波器へ送信する段階を有し、方法はさらに、第２アンテナが、第１無線周波数帯を有する第２アップリンク無線周波数信号を受信し、第１無線周波数帯を有する第２アップリンク無線周波数信号を第１合波器へ送信する段階と、第１合波器が、第２アンテナによって送信される、第１無線周波数帯を有する第２アップリンク無線周波数信号と、第１受動混合器によって送信される、第２無線周波数帯を有するアップリンク無線周波数信号とを受信し、合波済みアップリンク無線周波数信号を形成するために、第１無線周波数帯を有する第２アップリンク無線周波数信号、および、第２無線周波数帯を有するアップリンク無線周波数信号に対して合波処理を実行し、次に、受動ＤＡＳ回線を使用することによって、合波済みアップリンク無線周波数信号を第２分波器へ送信する段階であって、第１無線周波数帯および第２無線周波数帯は互いに重複しない、段階と、第２分波器が、合波済みアップリンク無線周波数信号を受信し、第１無線周波数帯を有する第２アップリンク無線周波数信号を取得すうるために、および、第２無線周波数帯を有するアップリンク無線周波数信号を取得するために、受信された合波済みアップリンク無線周波数信号における信号を分離し、次に、第１無線周波数帯を有する第２アップリンク無線周波数信号を信号送信先へ送信し、第２無線周波数帯を有するアップリンク無線周波数信号を第１混合器へ送信する段階とを備え、第１混合器が、第２無線周波数帯を有するアップリンク無線周波数信号を受信する段階は、具体的には、第１混合器が、第２分波器によって送信される、第２無線周波数帯を有するアップリンク無線周波数信号を受信する段階を有する。
【００２２】
第４態様の第１実装、または、第４態様の第２実装に関連して、第４態様の第２実装において、近端信号受信デバイスはさらに、第２信号生成器と、第２合波器と、第２混合器とを有し、遠端受信デバイスはさらに、第３アンテナと、第２受動混合器と、第１分波器とを有し、第１信号生成器が、第１局部周波数信号を送信する段階は、具体的には、第１信号生成器が、第１局部周波数信号を第２合波器へ送信する段階を有し、方法はさらに、第２信号生成器が、第２局部周波数信号を生成し、第２局部周波数信号を第２合波器へ送信する段階と、第２合波器が、第１信号生成器によって送信される第１局部周波数信号と、第２信号生成器によって送信される第２局部周波数信号とを受信し、第１合波信号を形成するために、第１局部周波数信号および第２局部周波数信号に対して合波処理を実行し、次に、受動ＤＡＳ回線を使用することによって、第１合波信号を第１分波器へ送信する段階と、第１分波器が、第１合波信号を受信し、第１局部周波数信号を取得するために、および、第２局部周波数信号を取得するために、第１合波信号における信号を分離し、第１局部周波数信号を第１受動混合器へ送信し、第２局部周波数信号を第２受動混合器へ送信する段階と、第３アンテナが、第１無線周波数帯を有する第３アップリンク無線周波数信号を受信し、第１無線周波数帯を有する第３アップリンク無線周波数信号を第２受動混合器へ送信する段階と、第２受動混合器が、第１分波器によって送信される第２局部周波数信号と、第３アンテナによって送信される、第１無線周波数帯を有する第３アップリンク無線周波数信号とを受信し、第３無線周波数帯を有するアップリンク無線周波数信号を形成するために、第２局部周波数信号を使用することによって、第１無線周波数帯を有する第３アップリンク無線周波数信号に対して周波数混合処理を実行し、次に、第３無線周波数帯を有するアップリンク無線周波数信号を第１合波器へ送信する段階であって、第３無線周波数帯および第２無線周波数帯は互いに重複しない、段階と、第１合波器が、第２受動混合器によって送信される、第３無線周波数帯を有するアップリンク無線周波数信号を受信し、第３無線周波数帯を有するアップリンク無線周波数信号を合波済みアップリンク無線周波数信号の中に合波し、受動ＤＡＳ回線を使用することによって、合波した後に取得されたアップリンク無線周波数信号を第２分波器へ送信する段階と、第２分波器が、第３無線周波数帯を有するアップリンク無線周波数信号を取得し、次に、第３無線周波数帯を有するアップリンク無線周波数信号を第２混合器へ送信する段階と、第２混合器が、第２分波器によって送信される、第３無線周波数帯を有するアップリンク無線周波数信号を受信する段階と、第２混合器が、第１無線周波数帯を有する第３アップリンク無線周波数信号を形成するために、第２信号生成器によって生成される第２局部周波数信号を使用することによって、第３無線周波数帯を有するアップリンク無線周波数信号に対して周波数混合処理を実行し、次に、第１無線周波数帯を有する第３アップリンク無線周波数信号を信号送信先へ送信するか、または、第１無線周波数帯を有する第３アップリンク無線周波数信号を形成するために、第２混合器によって生成される局部周波数信号を使用することによって、第３無線周波数帯を有するアップリンク無線周波数信号に対して周波数混合処理を実行し、次に、第１無線周波数帯を有する第３アップリンク無線周波数信号を信号送信先へ送信する段階とを備える。
【００２３】
上記より、本発明の実施形態が分散アンテナシステムおよび信号伝送方法を提供することが分かり得る。分散アンテナシステムは、近端信号生成デバイス、受動ＤＡＳ回線、および遠端伝送デバイスを備える。近端信号生成デバイスは、第１信号生成器を有する。遠端伝送デバイスは、第１受動混合器および第１アンテナを有する。遠端における受動混合器は、受信された無線周波数信号を処理するために使用される。既存のＤＡＳと比較すると、受動混合器は、遠端伝送デバイス上で提供され、周波数混合処理は、別のデバイスによって受動混合器へ伝達された局部周波数信号を使用することによって実行される。つまり、混合器は、電力が混合器に供給されるときに局部周波数信号を生成する必要が無く、それにより、電力がＤＡＳ内の遠端における能動混合器へ供給される既存の解決法がもたらす、施工の難易度が高く費用が高いという問題を回避する。
【図面の簡単な説明】
【００２４】
本発明の実施形態における、または従来技術における技術的解決法をより明確に説明すべく、実施形態または従来技術を説明するために必要な添付図面を以下で簡潔に説明する。以下の説明における添付図面は、本発明のいくつかの実施形態を示しているに過ぎず、当業者であれば、これらの添付図面から、創造的努力がなくとも他の図面をさらに導出し得ることは明らかである。
【００２５】
【図１】既存の分散アンテナシステムＤＡＳの構造図である。
【００２６】
【図２】本発明の実施形態に係るＤＡＳの構造図である。
【００２７】
【図３】本発明の実施形態に係る別のＤＡＳの構造図である。
【００２８】
【図４】本発明の実施形態に係る別のＤＡＳの構造図である。
【００２９】
【図５】本発明の実施形態に係る別のＤＡＳの構造図である。
【００３０】
【図６】本発明の実施形態に係る別のＤＡＳの構造図である。
【００３１】
【図７】本発明の実施形態に係る別のＤＡＳの構造図である。
【００３２】
【図８】本発明の実施形態に係る別の信号伝送方法のフローチャートである。
【００３３】
【図９】本発明の実施形態に係る別の信号伝送方法のフローチャートである。
【００３４】
【図１０】本発明の実施形態に係る別のＤＡＳの構造図である。
【００３５】
【図１１】本発明の実施形態に係る別のＤＡＳの構造図である。
【発明を実施するための形態】
【００３６】
本発明の実施形態における添付図面に関連して、本発明の実施形態における技術的解決法を以下で明確かつ完全に説明する。説明される実施形態は、本発明の実施形態のいくつかに過ぎず、すべてではないことは明らかである。当業者によって、本発明の実施形態に基づいて、創造的努力なく取得されたすべての他の実施形態は、本発明の保護範囲に属するものとする。
【００３７】
本発明の基本的な思想として、受動混合器は、遠端のアンテナにおいて提供され、周波数混合処理は、別のデバイスによって受動混合器へ伝達される局部周波数信号を使用することによって実行される。つまり、電力が混合器に供給されるとき、混合器は局部周波数信号を生成する必要が無く、それにより、混合器が局部周波数信号を生成するときに、近端を使用することによって、遠端における混合器が電力供給される必要があることによってもたらされる、施工が不便であるという問題を回避する。本発明の実施形態において提供される分散アンテナシステムおよび信号伝送方法を以下で説明する。
【００３８】
［実施形態１］
図２は、本発明の実施形態に係る分散アンテナシステム（Ｄｉｓｔｒｉｂｕｔｅｄ  Ａｎｔｅｎｎａ  Ｓｙｓｔｅｍ、略称：ＤＡＳ）の構造図である。図２に示されるように、ＤＡＳは、近端信号生成デバイス１０、受動ＤＡＳ回線２０、および遠端伝送デバイス３０を備え得る。近端信号生成デバイス１０は、受動ＤＡＳ回線２０の入力端に位置する。遠端伝送デバイス３０は、受動ＤＡＳ回線２０の出力端に位置する。本発明のこの実施形態における入力端および出力端は、ダウンリンク無線周波数信号の伝送方向に対して決定され、デバイスの具体的な配置は制限されないことに留意されたい。
【００３９】
近端信号生成デバイス１０は、信号を生成するように構成され、機器室に位置し、信号を生成する任意のデバイスと、生成された信号に対して、周波数混合または合波などの処理を実行するデバイスとを有し得る。近端信号生成デバイス１０は、信号源および第１信号生成器１０１を有し得る。信号源は、信号を生成する任意のデバイスであり得て、例えば、マクロ基地局、マイクロ基地局、リピータ、遠隔無線ユニット（ｒｅｍｏｔｅ  ｒａｄｉｏ  ｕｎｉｔ、ＲＲＵ）、ピコ基地局、またはピコＲＲＵなどのデバイスがある。
【００４０】
受動ＤＡＳ回線２０は、近端において生成される信号を屋内のアンテナへ伝送し、屋内のアンテナを使用することによって信号をユーザへ送信するように構成される。受動ＤＡＳ回線２０は、カプラおよびパワースプリッタなどのデバイスを含む回線であり得る。
【００４１】
遠端伝送デバイス３０は、信号を伝送するように構成され、屋内天井などの場所に位置し、第１受動混合器３０１および第１アンテナ３０２を有し得る。第１アンテナ３０２の入力端は、第１受動混合器３０１の出力端に接続される。
【００４２】
第１信号生成器１０１は、第１局部周波数信号を生成し、第１局部周波数信号を第１受動混合器３０１へ送信するように構成される。
【００４３】
第１受動混合器３０１は、第１局部周波数信号と、第２無線周波数帯を有するダウンリンク無線周波数信号とを受信するように構成される。
【００４４】
第２無線周波数帯を有するダウンリンク無線周波数信号は、第１局部周波数信号と、信号源によって送信される、第１無線周波数帯を有する第１ダウンリンク無線周波数信号とに対して周波数混合が実行された後に生成される信号である。第１無線周波数帯および第２無線周波数帯は、互いに重複しない。
【００４５】
第１受動混合器３０１はさらに、第１無線周波数帯を有する第１ダウンリンク無線周波数信号を形成するために、第１局部周波数信号を使用することによって、第２無線周波数帯を有する、受信されたダウンリンク無線周波数信号に対して周波数混合処理を実行し、次に、第１無線周波数帯を有する第１ダウンリンク無線周波数信号を第１アンテナ３０２へ送信するように構成される。
【００４６】
周波数混合処理は、アップコンバート処理であり得て、または、ダウンコンバート処理であり得る。アップコンバート処理は、第１局部周波数信号の周波数帯および第２無線周波数帯を加算し、ダウンリンク無線周波数信号の周波数帯を、第２無線周波数帯より高い第１無線周波数帯に移動させることであり得る。ダウンコンバート処理は、第１局部周波数信号の周波数帯を第２無線周波数帯から減算し、ダウンリンク無線周波数信号の周波数帯を、第２無線周波数帯より低い第１無線周波数帯へ移動させることであり得る。
【００４７】
例えば、第１無線周波数帯がＦ１＝［１．８５０−１．８６０］ＧＨｚであり、かつ、第２無線周波数帯がＦ２＝［０．８５０−０．８６０］ＧＨｚである場合、第１受動混合器３０１は、第１局部周波数信号Ｆ＝１ＧＨｚ使用することによって、第２無線周波数帯Ｆ２＝［０．８５０−０．８６０］ＧＨｚを有する信号を周波数帯Ｆ１＝［１．８５０−１．８６０］ＧＨｚにアップコンバートし得る。
【００４８】
第１無線周波数帯がＦ１＝［１．８５０−１．８６０］ＧＨｚであり、かつ、第２無線周波数帯がＦ２＝［２．０５０−２．０６０］ＧＨｚである場合、第１受動混合器３０１は、第１局部周波数信号Ｆ＝０．２００ＧＨｚを使用することによって、第２無線周波数帯Ｆ２＝［２．０５０−２．０６０］ＧＨｚを有する信号を周波数帯Ｆ１＝［１．８５０−１．８６０］ＧＨｚにダウンコンバートし得る。
【００４９】
第１アンテナ３０２は、第１無線周波数帯を有する、受信された第１ダウンリンク無線周波数信号を伝送するように構成される。
【００５０】
任意で、本発明のこの実施形態において、近端における周波数混合処理の後に取得されたダウンリンク無線周波数信号、および局部周波数信号は、共に合波され、受動ＤＡＳ回線を使用することによって第１受動混合器３０１へ伝送され得る。具体的には、図３に示されるように、近端信号生成デバイス１０は、合波器１０２および第１混合器１０３を有し得て、遠端伝送デバイス３０はさらに、分波器３０３を有する。
【００５１】
第１信号生成器１０１は、具体的には、第１局部周波数信号を合波器１０２へ送信するように構成される。合波器１０２による合波処理の後に、合波信号は、受動ＤＡＳ回線２０を使用することによって第１受動混合器３０１へ送信される。
【００５２】
第１混合器１０３は、信号源によって送信される、第１無線周波数帯を有する第１ダウンリンク無線周波数信号を受信するように構成される。
【００５３】
第１混合器１０３は、受動混合器であり得るか、または、能動混合器であり得る。第１混合器１０３が受動混合器であるとき、第１混合器１０３はさらに、第１信号生成器によって生成される第１局部周波数信号を使用することによって、第１ダウンリンク無線周波数信号に対して周波数混合処理を実行し、周波数混合の後に生成される、第２無線周波数帯を有するダウンリンク無線周波数信号を合波器へ送信するように構成され得る。
【００５４】
第１混合器１０３が能動混合器であるとき、第１混合器１０３はさらに、第１混合器によって生成される局部周波数信号を使用することによって、第１ダウンリンク無線周波数信号に対して周波数混合処理を実行し、周波数混合の後に生成される、第２無線周波数帯を有するダウンリンク無線周波数信号を合波器へ送信し得る。
【００５５】
第１混合器１０３が能動混合器であるとき、第１混合器１０３は局部周波数信号を生成できるので、本発明のこの実施形態において、近端信号生成デバイスにおける第１混合器１０３はまた、局部周波数信号を生成し、局部周波数信号を第１受動混合器３０１へ送信し得ることに留意されたい。つまり、第１受動混合器３０１はさらに、第１混合器１０３によって生成される局部周波数信号を受信するように構成され得る。第１受動混合器３０１については、局部周波数信号の機能は、第１局部周波数信号のものと同一である。
【００５６】
任意で、第２無線周波数帯を有するダウンリンク無線周波数信号は、受動ＤＡＳ回線を使用することによる伝送に比較的適した信号であり得る。つまり、受動ＤＡＳ回線を使用することによって、変換されたダウンリンク無線周波数信号が伝送されるときにもたらされる、第２無線周波数帯を有する、変換されたダウンリンク無線周波数信号の減衰は、受動ＤＡＳ回線を使用することによって第１ダウンリンク無線周波数信号が伝送されるときにもたらされる、第１ダウンリンク無線周波数信号の減衰より小さい。これにより、信号伝送中の減衰が低減し、信号伝送距離が増加する。例えば、Ｓ２は、高周波数信号であり、Ｓ３は、受動ＤＡＳ回線を使用することによる伝送により適した変換信号である。
【００５７】
合波器１０２は、第２無線周波数帯を有するダウンリンク無線周波数信号と、第１局部周波数信号とを受信し、合波済みダウンリンク無線周波数信号を形成するために、第２無線周波数帯を有する、受信されたダウンリンク無線周波数信号と、受信された第１局部周波数信号とを合波し、次に、受動ＤＡＳ回線を使用することによって、合波済みダウンリンク無線周波数信号を分波器へ送信するように構成される。
【００５８】
分波器３０３は、合波済みダウンリンク無線周波数信号を受信し、第２無線周波数帯を有するダウンリンク無線周波数信号と、第１局部周波数信号とを取得するために、受信された合波済みダウンリンク無線周波数信号に含まれる信号を分離し、次に、第２無線周波数帯を有するダウンリンク無線周波数信号と、第１局部周波数信号とを第１受動混合器へ送信するように構成される。
【００５９】
第１受動混合器３０１は、第１局部周波数信号と、第２無線周波数帯を有するダウンリンク無線周波数信号とを受信する。具体的には、第１受動混合器３０１は、分波器によって送信される、第１局部周波数信号と、第２無線周波数帯を有するダウンリンク無線周波数信号とを受信する。
【００６０】
さらに、本発明のこの実施形態において提供されるＤＡＳは、ＤＡＳシステムの容量を拡張するために、同一周波数帯ダブルストリーム伝送をさらにサポートし得る。例えば、ダウンリンク無線周波数信号、および変換されたダウンリンク無線周波数信号は、伝送のために共に合波され得る。具体的には、図３に示されるように、遠端伝送デバイス３０はさらに、第２アンテナ３０４を有する。
【００６１】
合波器１０２はさらに、信号源によって送信される、第１無線周波数帯を有する第２ダウンリンク無線周波数信号を受信し、第２ダウンリンク無線周波数信号を合波済みダウンリンク無線周波数信号の中に合波し、合波後に取得されるダウンリンク無線周波数信号を分波器へ送信するように構成される。
【００６２】
第２ダウンリンク無線周波数信号は、第１ダウンリンク無線周波数信号と、合波済みダウンリンク無線周波数信号における元の信号とを共に合波することによって形成される信号であり得る。
【００６３】
分波器３０３はさらに、第１無線周波数帯を有する第２ダウンリンク無線周波数信号を取得し、次に、第１無線周波数帯を有する第２ダウンリンク無線周波数信号を第２アンテナへ送信するように構成される。
【００６４】
第２アンテナ３０４は、第１無線周波数帯を有する、受信された第２ダウンリンク無線周波数信号を伝送するように構成される。
【００６５】
このように、同一の周波数帯を有する２つの信号は、ＤＡＳシステムを使用することによって伝送される。シングルストリーム伝送のみをサポートする既存のＤＡＳシステムと比較すると、システム容量が増加する。
【００６６】
さらに、ＤＡＳシステムの伝送容量をより良く改善するために、本発明のこの実施形態において提供されるＤＡＳはさらに、同一の無線周波数帯を有する複数の信号の伝送をサポートし得る。例えば、同一の周波数帯を有する少なくとも２つのダウンリンク無線周波数信号に対して周波数混合処理が別々に実行された後に、異なる周波数帯を有する信号が形成され、次に、共に合波されて遠端へ送信される。合波信号に従って、遠端において複数の無線周波数信号が取得された後、複数のアンテナを使用することによって複数の無線周波数信号が伝送される。具体的には、図４に示されるように、近端信号生成デバイス１０はさらに、第２信号生成器１０４および第２混合器１０５を有し得て、遠端伝送デバイス３０はさらに、第２受動混合器３０５および第３アンテナ３０６を有し得る。
【００６７】
第２信号生成器１０４は、第２局部周波数信号を生成し、第２局部周波数信号を合波器１０２へ送信するように構成される。
【００６８】
第２混合器１０５は、信号源によって送信される、第１無線周波数帯を有する第３ダウンリンク無線周波数信号を受信するように構成される。
【００６９】
第２混合器１０５はさらに、第２信号生成器によって送信される第２局部周波数信号を受信し、第３無線周波数帯を有するダウンリンク無線周波数信号を形成するために、第２局部周波数信号を使用することによって、第１無線周波数帯を有する第３ダウンリンク無線周波数信号に対して周波数混合処理を実行し、次に、第３無線周波数帯を有するダウンリンク無線周波数信号を合波器へ送信するように、または、第３無線周波数帯を有するダウンリンク無線周波数信号を形成するために、第２混合器によって生成される局部周波数信号を使用することによって、第１無線周波数帯を有する第３ダウンリンク無線周波数信号に対して周波数混合処理を実行し、次に、第３無線周波数帯を有するダウンリンク無線周波数信号を合波器へ送信するように構成され、第３無線周波数帯および第１無線周波数帯は互いに重複しない。
【００７０】
合波器１０２はさらに、第２混合器によって送信される、第３無線周波数帯を有するダウンリンク無線周波数信号と、第２信号生成器によって送信される第２局部周波数信号とを受信し、第３無線周波数帯を有する、受信されたダウンリンク無線周波数信号と、受信された第２局部周波数信号とを、合波済みダウンリンク無線周波数信号の中に合波し、合波後に取得されるダウンリンク無線周波数信号を分波器へ送信するように構成される。
【００７１】
第３無線周波数帯を有する、受信されたダウンリンク無線周波数信号と、受信された第２局部周波数信号とを、合波済みダウンリンク無線周波数信号の中に合波することは、第３無線周波数帯を有する、受信されたダウンリンク無線周波数信号と、受信された第２局部周波数信号と、合波済みダウンリンク無線周波数信号における元の信号とを共に合波し、合波済みダウンリンク無線周波数信号を再度形成することであり得ることに留意されたい。
【００７２】
分波器３０３はさらに、第３無線周波数帯を有するダウンリンク無線周波数信号と、第２局部周波数信号とを取得し、次に、第３無線周波数帯を有するダウンリンク無線周波数信号と、第２局部周波数信号とを第２受動混合器へ送信するように構成される。
【００７３】
第２受動混合器３０５は、第１無線周波数帯を有する第３ダウンリンク無線周波数信号を形成するために、第２局部周波数信号を使用することによって、第３無線周波数帯を有するダウンリンク無線周波数信号に対して周波数混合処理を実行し、次に、第１無線周波数帯を有する第３ダウンリンク無線周波数信号を第３アンテナへ送信するように構成される。
【００７４】
第３アンテナ３０６は、第１無線周波数帯を有する、受信された第３ダウンリンク無線周波数信号を伝送するように構成される。
【００７５】
本発明の上述の実施形態における説明において、ＤＡＳが同一周波数帯ダブルストリーム処理をサポートする例が使用されるが、同一の周波数帯を有する、２より多くの（すなわち、複数の）アップリンク無線周波数信号が存在する場合が除外されるわけではないことに留意されたい。２つより多くのアップリンク無線周波数信号の処理も、この実施形態において説明される技術的解決法に含まれるものとする。従って、ＤＡＳは、同一の周波数帯を有する複数の信号を同時に伝送し得て、それにより、ＤＡＳのシステム容量を大幅に増やす。
【００７６】
通信処理において、ダウンリンク信号を送信するための逆処理として、分散アンテナシステムはさらに、アップリンク信号を受信して、アップリンク信号を処理するように使用され得る。アップリンク信号の処理は、ダウンリンク信号の処理のための逆処理であり得て、または、アップリンク信号の処理とダウンリンク信号の処理との間にいくつかの違いが存在し得ることを理解されたい。違いが存在するとき、アップリンク信号を処理するためのモジュールと、ダウンリンク信号を処理するためのモジュールとの間にいくつかの違いが存在し得る。具体的には、図５に示されるように、ＤＡＳはさらに、近端信号受信デバイス４０、受動ＤＡＳ回線２０、および遠端受信デバイス５０を備え得る。
【００７７】
近端受信器４０は、受動ＤＡＳ回線２０の出力端に位置する。遠端受信デバイス５０は、受動ＤＡＳ回線２０の入力端に位置する。入力端および出力端は、アップリンク無線周波数信号の伝送方向に対して決定され、デバイスの具体的な配置は制限されないことに留意されたい。
【００７８】
近端信号受信デバイス４０は、信号を受信するように構成され、機器室に位置し、信号を受信する任意のデバイスと、受信された信号に対して周波数混合または合波などの処理を実行するデバイスとを有し得る。近端信号受信デバイス４０は、信号送信先と、第１信号生成器４０１と、第１混合器４０２とを有し得る。信号送信先は、信号を受信し得る任意のデバイスであり得て、例えば、マクロ基地局、マイクロ基地局、リピータ、遠隔無線ユニット（ｒｅｍｏｔｅ  ｒａｄｉｏ  ｕｎｉｔ、ＲＲＵ）、ピコ基地局、またはピコＲＲＵなどのデバイスがある。
【００７９】
受動ＤＡＳ回線２０は、近端において生成される信号を屋内のアンテナへ伝送し、屋内のアンテナを使用することによって信号をユーザへ送信するように構成される。受動ＤＡＳ回線２０は、カプラおよびパワースプリッタなどのデバイスを含む回線であり得る。
【００８０】
遠端受信デバイス５０は、信号を受信するように構成され、屋内天井などの場所に位置し、第１受動混合器５０１および第１アンテナ５０２を有し得る。第１アンテナ５０２の出力端は第１受動混合器５０１の入力端に接続される。
【００８１】
第１信号生成器４０１は、第１局部周波数信号を生成し、受動ＤＡＳ回線を使用することによって第１局部周波数信号を第１受動混合器へ送信するように構成される。
【００８２】
第１アンテナ５０２は、第１無線周波数帯を有する第１アップリンク無線周波数信号を受信し、第１無線周波数帯を有する第１アップリンク無線周波数信号を第１受動混合器へ送信するように構成される。
【００８３】
第１受動混合器５０１は、第１局部周波数信号を受信し、第２無線周波数帯を有するアップリンク無線周波数信号を形成するために、受信された第１局部周波数信号を使用することによって、第１無線周波数帯を有する第１アップリンク無線周波数信号に対して周波数混合処理を実行し、次に、受動ＤＡＳ回線を使用することによって、第２無線周波数帯を有するアップリンク無線周波数信号を第１混合器へ送信するように構成される。
【００８４】
第１混合器４０２は、第２無線周波数帯を有するアップリンク無線周波数信号を受信するように構成される。
【００８５】
第１混合器４０２はさらに、第１無線周波数帯を有する第１アップリンク無線周波数信号を形成するために、第１信号生成器によって生成される第１局部周波数信号を使用することによって、第２無線周波数帯を有する、受信されたアップリンク無線周波数信号に対して周波数混合処理を実行し、次に、第１無線周波数帯を有する第１アップリンク無線周波数信号を信号送信先へ送信するように、または、第１無線周波数帯を有する第１アップリンク無線周波数信号を形成するために、第１混合器によって生成される局部周波数信号を使用することによって、第２無線周波数帯を有する受信されたアップリンク無線周波数信号に対して周波数混合処理を実行し、次に、第１無線周波数帯を有する第１アップリンク無線周波数信号を信号送信先へ送信するように構成される。
【００８６】
さらに、本発明のこの実施形態において提供されるＤＡＳは、ＤＡＳシステムの容量を拡張するために、同一周波数帯ダブルストリーム伝送をさらにサポートし得る。例えば、アップリンク無線周波数信号、および、変換されたアップリンク無線周波数信号は、伝送のために共に合波され得る。具体的には、図６に示されるように、遠端受信デバイス５０はさらに、第２アンテナ５０３および第１合波器５０５を有し、近端信号受信デバイス４０はさらに、第２分波器４０５を有する。
【００８７】
第２アンテナ５０３は、第１無線周波数帯を有する第２アップリンク無線周波数信号を受信し、第１無線周波数帯を有する第２アップリンク無線周波数信号を第１合波器５０５へ送信するように構成される。
【００８８】
第１受動混合器５０１は、具体的には、第２無線周波数帯を有するアップリンク無線周波数信号を第１合波器５０５へ送信するように構成される。
【００８９】
第１合波器５０５は、第２アンテナによって送信される、第１無線周波数帯を有する第２アップリンク無線周波数信号と、第１受動混合器５０１によって送信される、第２無線周波数帯を有するアップリンク無線周波数信号とを受信し、合波済みアップリンク無線周波数信号を形成するために、第１無線周波数帯を有する第２アップリンク無線周波数信号と、第２無線周波数帯を有するアップリンク無線周波数信号とに対して合波処理を実行し、次に、受動ＤＡＳ回線を使用することによって、合波済みアップリンク無線周波数信号を第２分波器へ送信するように構成され、第１無線周波数帯および第２無線周波数帯は互いに重複しない。
【００９０】
第２分波器４０５は、合波済みアップリンク無線周波数信号を受信し、第１無線周波数帯を有する第２アップリンク無線周波数信号を取得するために、受信された合波済みアップリンク無線周波数信号における信号を分離し、次に、第２無線周波数帯を有するアップリンク無線周波数信号を取得するために、第１無線周波数帯を有する第２アップリンク無線周波数信号を信号送信先へ送信し、次に、第２無線周波数帯を有するアップリンク無線周波数信号を第１混合器４０２へ送信するように構成される。
【００９１】
第１混合器４０２は、具体的には、第２分波器によって送信される、第２無線周波数帯を有するアップリンク無線周波数信号を受信するように構成される。
【００９２】
さらに、ＤＡＳシステムの伝送容量をより良く改善するために、本発明のこの実施形態において提供されるＤＡＳはさらに、同一の無線周波数帯を有する複数の信号の伝送をサポートし得る。例えば、同一の周波数帯を有する少なくとも２つのアップリンク無線周波数信号に対して周波数混合処理が別々に実行された後に、異なる周波数帯を有する信号が形成され、次に、共に合波されて近端における信号送信先へ送信される。具体的には、図７に示されるように、近端信号受信デバイスはさらに、第２信号生成器４０４と、第２合波器４０６と、第２混合器４０３とを有し、遠端受信デバイスはさらに、第３アンテナ５０７と、第２受動混合器５０３と、第１分波器５０６５０６とを有する。
【００９３】
第２信号生成器４０４は、第２局部周波数信号を生成し、第２局部周波数信号を第２合波器４０６へ送信するように構成される。
【００９４】
第１信号生成器４０１は、具体的には、第１局部周波数信号を第２合波器４０６へ送信するように構成される。
【００９５】
第２合波器４０６は、第１信号生成器４０１によって送信される第１局部周波数信号と、第２信号生成器４０４によって送信される第２局部周波数信号とを受信し、第１合波信号を形成するために、第１局部周波数信号および第２局部周波数信号に対して合波処理を実行し、次に、受動ＤＡＳ回線を使用することによって、第１合波信号を第１分波器５０６５０６へ送信するように構成される。
【００９６】
第１分波器５０６５０６は、第１合波信号を受信し、第１局部周波数信号を取得するために、および、第２局部周波数信号を取得するために、第１合波信号における信号を分離し、第１局部周波数信号を第１受動混合器５０１へ送信し、第２局部周波数信号を第２受動混合器５０３へ送信するように構成される。
【００９７】
第１受動混合器５０１は、具体的には、第１分波器５０６５０６によって送信される第１局部周波数信号を受信するように構成される。
【００９８】
第３アンテナ５０７は、第１無線周波数帯を有する第３アップリンク無線周波数信号を受信し、第１無線周波数帯を有する第３アップリンク無線周波数信号を第２受動混合器５０３へ送信するように構成される。
【００９９】
第２受動混合器５０３は、第１分波器５０６５０６によって送信される第２局部周波数信号と、第３アンテナ５０７によって送信される、第１無線周波数帯を有する第３アップリンク無線周波数信号とを受信し、第３無線周波数帯を有するアップリンク無線周波数信号を形成するために、第２局部周波数信号を使用することによって第１無線周波数帯を有する第３アップリンク無線周波数信号に対して周波数混合処理を実行し、次に、第３無線周波数帯を有するアップリンク無線周波数信号を第１合波器５０５へ送信するように構成され、第３無線周波数帯および第２無線周波数帯は互いに重複しない。
【０１００】
第１合波器５０５はさらに、第２受動混合器５０３によって送信される、第３無線周波数帯を有するアップリンク無線周波数信号を受信し、第３無線周波数帯を有するアップリンク無線周波数信号を合波済みアップリンク無線周波数信号の中に合波し、受動ＤＡＳ回線を使用することによって、合波後に取得されるアップリンク無線周波数信号を第２分波器へ送信するように構成される。
【０１０１】
第２分波器４０５はさらに、第３無線周波数帯を有するアップリンク無線周波数信号を取得し、次に、第３無線周波数帯を有するアップリンク無線周波数信号を第２混合器４０３へ送信するように構成される。
【０１０２】
第２混合器４０３は、第２分波器によって送信される、第３無線周波数帯を有するアップリンク無線周波数信号を受信するように構成される。
【０１０３】
第２混合器４０３はさらに、第１無線周波数帯を有する第３アップリンク無線周波数信号を形成するために、第２信号生成器４０４によって生成される第２局部周波数信号を使用することによって、第３無線周波数帯を有するアップリンク無線周波数信号に対して周波数混合処理を実行し、次に、第１無線周波数帯を有する第３アップリンク無線周波数信号を信号送信先へ送信するように、または、第１無線周波数帯を有する第３アップリンク無線周波数信号を形成するために、第２混合器４０３によって生成される局部周波数信号を使用することによって、第３無線周波数帯を有するアップリンク無線周波数信号に対して周波数混合処理を実行し、次に、第１無線周波数帯を有する第３アップリンク無線周波数信号を信号送信先へ送信するように構成される。
【０１０４】
本発明の上述の実施形態における説明において、ＤＡＳが同一周波数帯ダブルストリーム処理をサポートする例が使用されるが、同一の周波数帯を有する、２より多くの（すなわち、複数の）アップリンク無線周波数信号が存在する場合が除外されるわけではないことに留意されたい。２つより多くのアップリンク無線周波数信号の処理も、この実施形態において説明される技術的解決法に含まれるものとする。従って、ＤＡＳは、同一の周波数帯を有する複数の信号を同時に伝送し得て、それにより、ＤＡＳのシステム容量を大幅に増やす。
【０１０５】
本発明のこの実施形態において提供される分散アンテナシステムＤＡＳは、無線通信ネットワークに適用され得ることに留意されたい。無線通信ネットワークは、ＤＡＳを含み得て、さらに、受動ＤＡＳによってサービスが提供されるユーザ装置を含み得る。加えて、本願のこの実施形態における「第１」、「第２」、「第３」、および「第４」などの数は、明確な説明、または、区別のみを目的とするものであり、解決法の優劣を示すものではない。
【０１０６】
上記より、本発明のこの実施形態は、近端信号生成デバイス、受動ＤＡＳ回線、および遠端伝送デバイスを備える分散アンテナシステムを提供することが分かり得る。近端信号生成デバイスは、信号源および第１信号生成器を有し、遠端伝送デバイスは、第１受動混合器および第１アンテナを有する。第１信号生成器は、第１局部周波数信号を生成し、受動ＤＡＳ回線を使用することによって第１局部周波数信号を第１受動混合器へ送信するように構成される。第１受動混合器は、第１局部周波数信号と、第２無線周波数帯を有するダウンリンク無線周波数信号とを受信するように構成される。第１受動混合器はさらに、第１無線周波数帯を有する第１ダウンリンク無線周波数信号を形成するために、第１局部周波数信号を使用することによって、第２無線周波数帯を有する、受信されたダウンリンク無線周波数信号に対して周波数混合処理を実行し、次に、第１無線周波数帯を有する第１ダウンリンク無線周波数信号を第１アンテナへ送信するように構成される。第１アンテナは、第１無線周波数帯を有する、受信された第１ダウンリンク無線周波数信号を伝送するように構成される。既存のＤＡＳと比較すると、受動混合器は、遠端伝送デバイス上で提供され、周波数混合処理は、別のデバイスによって受動混合器へ伝達された局部周波数信号を使用することによって実行される。つまり、混合器は、電力が混合器に供給されるときに局部周波数信号を生成する必要が無く、それにより、電力がＤＡＳ内の遠端における能動混合器へ供給される既存の解決法がもたらす、施工の難易度が高く費用が高いという問題を回避する。
【０１０７】
［実施形態２］
図８は、本発明の実施形態に係る信号伝送方法を示す。信号伝送方法は、実施形態１に記載されるＤＡＳによって実行される。ＤＡＳは、近端信号生成デバイス、受動ＤＡＳ回線、および遠端伝送デバイスを備える。近端信号生成デバイスは、信号源および第１信号生成器を有し、遠端伝送デバイスは、第１受動混合器および第１アンテナを有する。図８に示されるように、方法は、以下の段階を含んでよい。
【０１０８】
段階１０１：第１信号生成器は、第１局部周波数信号を生成し、受動ＤＡＳ回線を使用することによって第１局部周波数信号を第１受動混合器へ送信する。
【０１０９】
段階１０２：第１受動混合器は、第１局部周波数信号と、第２無線周波数帯を有するダウンリンク無線周波数信号とを受信する。
【０１１０】
第２無線周波数帯を有するダウンリンク無線周波数信号は、第１局部周波数信号と、信号源によって送信される、第１無線周波数帯を有する第１ダウンリンク無線周波数信号とに対して周波数混合が実行された後に生成される信号である。第１無線周波数帯および第２無線周波数帯は、互いに重複しない。
【０１１１】
任意で、第２無線周波数帯を有するダウンリンク無線周波数信号は、受動ＤＡＳ回線を使用することによる伝送に比較的適した信号であり得る。つまり、受動ＤＡＳ回線を使用することによってダウンリンク無線周波数信号が伝送されるときにもたらされる、第２無線周波数帯を有するダウンリンク無線周波数信号の減衰は、受動ＤＡＳ回線を使用することによって第１ダウンリンク無線周波数信号が伝送されるときにもたらされる、第１ダウンリンク無線周波数信号の減衰より小さい。これにより、信号伝送中の減衰が低減し、信号伝送距離が増加する。
【０１１２】
段階１０３：第１受動混合器はさらに、第１無線周波数帯を有する第１ダウンリンク無線周波数信号を形成するために、第１局部周波数信号を使用することによって、第２無線周波数帯を有する、受信されたダウンリンク無線周波数信号に対して周波数混合処理を実行し、次に、第１無線周波数帯を有する第１ダウンリンク無線周波数信号を第１アンテナへ送信する。
【０１１３】
周波数混合処理は、アップコンバート処理であり得て、または、ダウンコンバート処理であり得る。アップコンバート処理は、第１局部周波数信号の周波数帯および第２無線周波数帯を加算し、ダウンリンク無線周波数信号の周波数帯を、第２無線周波数帯より高い第１無線周波数帯に移動させることであり得る。ダウンコンバート処理は、第１局部周波数信号の周波数帯を第２無線周波数帯から減算し、ダウンリンク無線周波数信号の周波数帯を、第２無線周波数帯より低い第１無線周波数帯へ移動させることであり得る。
【０１１４】
例えば、第１無線周波数帯がＦ１＝［１．８５０−１．８６０］ＧＨｚであり、かつ、第２無線周波数帯がＦ２＝［０．８５０−０．８６０］ＧＨｚである場合、第１受動混合器３０１は、第１局部周波数信号Ｆ＝１ＧＨｚ使用することによって、第２無線周波数帯Ｆ２＝［０．８５０−０．８６０］ＧＨｚを有する信号を周波数帯Ｆ１＝［１．８５０−１．８６０］ＧＨｚにアップコンバートし得る。
【０１１５】
第１無線周波数帯がＦ１＝［１．８５０−１．８６０］ＧＨｚであり、かつ、第２無線周波数帯がＦ２＝［２．０５０−２．０６０］ＧＨｚである場合、第１受動混合器３０１は、第１局部周波数信号Ｆ＝０．２００ＧＨｚを使用することによって、第２無線周波数帯Ｆ２＝［２．０５０−２．０６０］ＧＨｚを有する信号を周波数帯Ｆ１＝［１．８５０−１．８６０］ＧＨｚにダウンコンバートし得る。
【０１１６】
段階１０４：第１アンテナは、第１無線周波数帯を有する、受信された第１ダウンリンク無線周波数信号を伝送する。
【０１１７】
任意で、本発明のこの実施形態において、近端における周波数混合処理の後に取得されたダウンリンク無線周波数信号、および局部周波数信号は、共に合波され、受動ＤＡＳ回線を使用することによって第１受動混合器へ伝送され得る。具体的には、近端信号生成デバイスは、第１混合器および合波器を有し得て、遠端伝送デバイスはさらに、分波器を有する。
【０１１８】
第１信号生成器が第１局部周波数信号を第１受動混合器へ送信する段階は、具体的には、第１信号生成器が、第１局部周波数信号を合波器へ送信し、合波器が、第１局部周波数信号を第１受動混合器へ送信する段階を有し、第２無線周波数帯を有するダウンリンク無線周波数信号を第１受動混合器が受信する段階の前に、方法はさらに、第１混合器が、信号源によって送信される、第１無線周波数帯を有する第１ダウンリンク無線周波数信号を受信する段階と、第１混合器が、第１信号生成器によって生成される第１局部周波数信号を使用することによって、第１ダウンリンク無線周波数信号に対して周波数混合処理を実行し、周波数混合後に生成される第２無線周波数帯を有するダウンリンク無線周波数信号を合波器へ送信するか、または、第１混合器によって生成される局部周波数信号を使用することによって、第１ダウンリンク無線周波数信号に対して周波数混合処理を実行し、周波数混合後に生成される、第２無線周波数帯を有するダウンリンク無線周波数信号を合波器へ送信する段階と、合波器が、第２無線周波数帯を有するダウンリンク無線周波数信号と、第１局部周波数信号とを受信し、合波済みダウンリンク無線周波数信号を形成するために、第２無線周波数帯を有する、受信されたダウンリンク無線周波数信号と、受信された第１局部周波数信号とを合波し、次に、受動ＤＡＳ回線を使用することによって、合波済みダウンリンク無線周波数信号を分波器へ送信する段階と、分波器が、合波済みダウンリンク無線周波数信号を受信し、第２無線周波数帯を有するダウンリンク無線周波数信号と、第１局部周波数信号とを取得するために、受信された合波済みダウンリンク無線周波数信号に含まれる信号を分離し、次に、第２無線周波数帯を有するダウンリンク無線周波数信号と、第１局部周波数信号とを第１受動混合器へ送信する段階とを有し、第１受動混合器が、第１局部周波数信号と、第２無線周波数帯を有するダウンリンク無線周波数信号とを受信する段階は、具体的には、第１受動混合器が、分波器によって送信される、第１局部周波数信号と、第２無線周波数帯を有するダウンリンク無線周波数信号とを受信する段階を有する。
【０１１９】
さらに、本発明のこの実施形態において提供されるＤＡＳは、同一周波数帯ダブルストリーム伝送をさらにサポートし得る。例えば、ダウンリンク無線周波数信号、および、変換されたダウンリンク無線周波数信号は、伝送のために共に合波され得る。具体的には、遠端伝送デバイスはさらに、第２アンテナを有し得る。方法はさらに、合波器が、信号源によって送信される、第１無線周波数帯を有する第２ダウンリンク無線周波数信号を受信し、第２ダウンリンク無線周波数信号を合波済みダウンリンク無線周波数信号の中に合波し、合波後に取得されるダウンリンク無線周波数信号を分波器へ送信する段階と、分波器が、第１無線周波数帯を有する第２ダウンリンク無線周波数信号を取得し、次に、第１無線周波数帯を有する第２ダウンリンク無線周波数信号を第２アンテナへ送信する段階と、第２アンテナが、第１無線周波数帯を有する、受信された第２ダウンリンク無線周波数信号を伝送する段階とを備え得る。
【０１２０】
第２の合波済みダウンリンク無線周波数信号を形成するために、第１ダウンリンク無線周波数信号を合波済みダウンリンク無線周波数信号の中に合波する段階は、第２の合波済みダウンリンク無線周波数信号を再度形成するために、第１ダウンリンク無線周波数信号および元の信号を合波済みダウンリンク無線周波数信号の中に共に合波する段階を有し得る。
【０１２１】
このように、同一の周波数帯を有する２つの信号は、ＤＡＳシステムを使用することによって伝送される。シングルストリーム伝送のみをサポートする既存のＤＡＳシステムと比較すると、システム容量が増加する。
【０１２２】
さらに、ＤＡＳシステムの伝送容量をより良く改善するために、本発明のこの実施形態において提供されるＤＡＳはさらに、同一の無線周波数帯を有する複数の信号の伝送をサポートし得る。例えば、同一の周波数帯を有する少なくとも２つのダウンリンク無線周波数信号に対して周波数混合処理が別々に実行された後に、異なる周波数帯を有する信号が形成され、次に、共に合波されて遠端へ送信される。合波信号に従って、遠端において複数の無線周波数信号が取得された後、複数のアンテナを使用することによって複数の無線周波数信号が伝送される。具体的には、近端信号生成デバイスはさらに、第２信号生成器および第２混合器を有し得て、遠端伝送デバイスはさらに、第２受動混合器および第３アンテナを有し得る。方法はさらに、第２信号生成器が、第２局部周波数信号を生成し、第２局部周波数信号を合波器へ送信する段階と、第２混合器が、信号源によって送信される、第１無線周波数帯を有する第３ダウンリンク無線周波数信号を受信する段階と、第２混合器が、第２信号生成器によって送信される第２局部周波数信号を受信し、第３無線周波数帯を有するダウンリンク無線周波数信号を形成するために、第２局部周波数信号を使用することによって、第１無線周波数帯を有する第３ダウンリンク無線周波数信号に対して周波数混合処理を実行し、次に、第３無線周波数帯を有するダウンリンク無線周波数信号を合波器へ送信するか、または、第３無線周波数帯を有するダウンリンク無線周波数信号を形成するために、第２混合器によって生成される局部周波数信号を使用することによって、第１無線周波数帯を有する第３ダウンリンク無線周波数信号に対して周波数混合処理を実行し、次に、第３無線周波数帯を有するダウンリンク無線周波数信号を合波器へ送信する段階であって、第３無線周波数帯と第１無線周波数帯とは互いに重複しない、段階と、合波器が、第２混合器によって送信される、第３無線周波数帯を有するダウンリンク無線周波数信号と、第２信号生成器によって送信される第２局部周波数信号とを受信し、第３無線周波数帯を有する、受信されたダウンリンク無線周波数信号と、受信された第２局部周波数信号とを合波済みダウンリンク無線周波数信号の中に合波し、合波後に取得されるダウンリンク無線周波数信号を分波器へ送信する段階と、分波器が、第３無線周波数帯を有するダウンリンク無線周波数信号と第２局部周波数信号とを取得し、次に、第３無線周波数帯を有するダウンリンク無線周波数信号と、第２局部周波数信号とを第２受動混合器へ送信する段階と、第２受動混合器が、第１無線周波数帯を有する第３ダウンリンク無線周波数信号を形成するために、第２局部周波数信号を使用することによって、第３無線周波数帯を有するダウンリンク無線周波数信号に対して周波数混合処理を実行し、次に、第１無線周波数帯を有する第３ダウンリンク無線周波数信号を第３アンテナへ送信する段階と、第３アンテナが、第１無線周波数帯を有する、受信された第３ダウンリンク無線周波数信号を伝送する段階であって、少なくとも１つの第３アンテナの１つが、第１無線周波数帯を有する、受信されたダウンリンク無線周波数信号を伝送する段階とを備え得る。
【０１２３】
第３合波済みダウンリンク無線周波数信号を形成するために、第３無線周波数帯を有する、受信されたダウンリンク無線周波数信号と、受信された第２局部周波数信号とを、合波済みダウンリンク無線周波数信号の中に合波することは、第３無線周波数帯を有する、受信されたダウンリンク無線周波数信号と、受信された第２局部周波数信号と、合波済みダウンリンク無線周波数信号における元の信号とを共に合波し、合波済みダウンリンク無線周波数信号を再度形成することを含み得る。
【０１２４】
本発明の上述の実施形態における説明において、ＤＡＳが同一周波数帯ダブルストリーム処理をサポートする例が使用されるが、同一の周波数帯を有する、２より多くの（すなわち、複数の）アップリンク無線周波数信号が存在する場合が除外されるわけではないことに留意されたい。２つより多くのアップリンク無線周波数信号の処理も、この実施形態において説明される技術的解決法に含まれるものとする。従って、ＤＡＳは、同一の周波数帯を有する複数の信号を同時に伝送し得て、それにより、ＤＡＳのシステム容量を大幅に増やす。
【０１２５】
通信処理において、ダウンリンク信号を送信するための逆処理として、分散アンテナシステムはさらに、アップリンク信号を受信して、アップリンク信号を処理するように使用され得る。アップリンク信号の処理は、ダウンリンク信号の処理のための逆処理であり得て、または、アップリンク信号の処理とダウンリンク信号の処理との間にいくつかの違いが存在し得ることを理解されたい。例えば、図９は、本発明の実施形態に係る別の信号伝送方法を示す。信号伝送方法は、分散アンテナシステムＤＡＳによって実行される。ＤＡＳは、近端信号受信デバイス、受動ＤＡＳ回線、および遠端受信デバイスを備える。近端信号受信デバイスは、信号送信先、第１信号生成器、および第１混合器を有し、遠端受信デバイスは、第１受動混合器および第１アンテナを有する。図９に示されるように、方法は、以下の段階を含み得る。
【０１２６】
段階２０１：第１信号生成器が、第１局部周波数信号を生成し、受動ＤＡＳ回線を使用することによって第１局部周波数信号を第１受動混合器へ送信する。
【０１２７】
段階２０２：第１アンテナが、第１無線周波数帯を有する第１アップリンク無線周波数信号を受信し、第１無線周波数帯を有する第１アップリンク無線周波数信号を第１受動混合器へ送信する。
【０１２８】
段階２０３：第１受動混合器が、第１局部周波数信号を受信し、第２無線周波数帯を有するアップリンク無線周波数信号を形成するために、受信された第１局部周波数信号を使用することによって、第１無線周波数帯を有する第１アップリンク無線周波数信号に対して周波数混合処理を実行し、次に、受動ＤＡＳ回線を使用することによって、第２無線周波数帯を有するアップリンク無線周波数信号を第１混合器へ送信する。
【０１２９】
段階２０４：第１混合器が、第２無線周波数帯を有するアップリンク無線周波数信号を受信し、第１無線周波数帯を有する第１アップリンク無線周波数信号を形成するために、第１信号生成器によって生成される第１局部周波数信号を使用することによって、第２無線周波数帯を有する、受信されたアップリンク無線周波数信号に対して周波数混合処理を実行し、次に、第１無線周波数帯を有する第１アップリンク無線周波数信号を信号送信先へ送信するか、または、第１無線周波数帯を有する第１アップリンク無線周波数信号を形成するために、第１混合器によって生成される局部周波数信号を使用することによって、第１混合器が、第２無線周波数帯を有する、受信されたアップリンク無線周波数信号に対して周波数混合処理を実行し、次に、第１無線周波数帯を有する第１アップリンク無線周波数信号を信号送信先へ送信する。
【０１３０】
さらに、本発明のこの実施形態において提供されるＤＡＳは、ＤＡＳシステムの容量を拡張するために、同一周波数帯ダブルストリーム伝送をさらにサポートし得る。例えば、アップリンク無線周波数信号、および、変換されたアップリンク無線周波数信号は、伝送のために共に合波され得る。具体的には、遠端受信デバイスはさらに、第２アンテナおよび第１合波器を有し得て、近端信号受信デバイスはさらに、第２分波器を有し得る。
【０１３１】
第１受動混合器が、第２無線周波数帯を有するアップリンク無線周波数信号を第１混合器へ送信する段階は、具体的には、第１受動混合器が、第２無線周波数帯を有するアップリンク無線周波数信号を第１合波器へ送信する段階を有し、方法はさらに、第２アンテナが、第１無線周波数帯を有する第２アップリンク無線周波数信号を受信し、第１無線周波数帯を有する第２アップリンク無線周波数信号を第１合波器へ送信する段階と、第１合波器が、第２アンテナによって送信される、第１無線周波数帯を有する第２アップリンク無線周波数信号と、第１受動混合器によって送信される、第２無線周波数帯を有するアップリンク無線周波数信号とを受信し、合波済みアップリンク無線周波数信号を形成するために、第１無線周波数帯を有する第２アップリンク無線周波数信号、および、第２無線周波数帯を有するアップリンク無線周波数信号に対して合波処理を実行し、次に、受動ＤＡＳ回線を使用することによって、合波済みアップリンク無線周波数信号を第２分波器へ送信する段階であって、第１無線周波数帯および第２無線周波数帯は互いに重複しない、段階と、第２分波器が、合波済みアップリンク無線周波数信号を受信し、受信された合波済みアップリンク無線周波数信号における信号を分離し、それにより、第１無線周波数帯を有する第２アップリンク無線周波数信号を取得して、次に、第１無線周波数帯を有する第２アップリンク無線周波数信号を信号送信先へ送信し、および、第２無線周波数帯を有するアップリンク無線周波数信号を取得し、次に、第２無線周波数帯を有するアップリンク無線周波数信号を第１混合器へ送信する段階とを備え、第１混合器が、第２無線周波数帯を有するアップリンク無線周波数信号を受信する段階は、具体的には、第１混合器が、第２分波器によって送信される、第２無線周波数帯を有するアップリンク無線周波数信号を受信する段階を有する。
【０１３２】
さらに、ＤＡＳシステムの伝送容量をより良く改善するために、本発明のこの実施形態において提供されるＤＡＳはさらに、同一の無線周波数帯を有する複数の信号の伝送をサポートし得る。例えば、同一の周波数帯を有する少なくとも２つのアップリンク無線周波数信号に対して周波数混合処理が別々に実行された後に、異なる周波数帯を有する信号が形成され、次に、共に合波されて近端における信号送信先へ送信される。具体的には、近端信号受信デバイスはさらに、第２信号生成器と、第２合波器と、第２混合器とを有し得て、遠端受信デバイスはさらに、第３アンテナと、第２受動混合器と、第１分波器とを有し得る。
【０１３３】
第１信号生成器が、第１局部周波数信号を送信する段階は、具体的には、第１信号生成器が、第１局部周波数信号を第２合波器へ送信する段階を有し、方法はさらに、第２信号生成器が、第２局部周波数信号を生成し、第２局部周波数信号を第２合波器へ送信する段階と、第２合波器が、第１信号生成器によって送信される第１局部周波数信号と、第２信号生成器によって送信される第２局部周波数信号とを受信し、第１合波信号を形成するために、第１局部周波数信号および第２局部周波数信号に対して合波処理を実行し、次に、受動ＤＡＳ回線を使用することによって、第１合波信号を第１分波器へ送信する段階と、第１分波器が、第１合波信号を受信し、第１局部周波数信号を取得するために、および、第２局部周波数信号を取得するために、第１合波信号における信号を分離し、第１局部周波数信号を第１受動混合器へ送信し、第２局部周波数信号を第２受動混合器へ送信する段階と、第３アンテナが、第１無線周波数帯を有する第３アップリンク無線周波数信号を受信し、第１無線周波数帯を有する第３アップリンク無線周波数信号を第２受動混合器へ送信する段階と、第２受動混合器が、第１分波器によって送信される第２局部周波数信号と、第３アンテナによって送信される、第１無線周波数帯を有する第３アップリンク無線周波数信号とを受信し、第３無線周波数帯を有するアップリンク無線周波数信号を形成するために、第２局部周波数信号を使用することによって、第１無線周波数帯を有する第３アップリンク無線周波数信号に対して周波数混合処理を実行し、次に、第３無線周波数帯を有するアップリンク無線周波数信号を第１合波器へ送信する段階であって、第３無線周波数帯および第２無線周波数帯は互いに重複しない、段階と、第１合波器が、第２受動混合器によって送信される、第３無線周波数帯を有するアップリンク無線周波数信号を受信し、第３無線周波数帯を有するアップリンク無線周波数信号を合波済みアップリンク無線周波数信号の中に合波し、受動ＤＡＳ回線を使用することによって、合波した後に取得されたアップリンク無線周波数信号を第２分波器へ送信する段階と、第２分波器が、第３無線周波数帯を有するアップリンク無線周波数信号を取得し、次に、第３無線周波数帯を有するアップリンク無線周波数信号を第２混合器へ送信する段階と、第２混合器が、第２分波器によって送信される、第３無線周波数帯を有するアップリンク無線周波数信号を受信する段階と、第２混合器が、第１無線周波数帯を有する第３アップリンク無線周波数信号を形成するために、第２信号生成器によって生成される第２局部周波数信号を使用することによって、第３無線周波数帯を有するアップリンク無線周波数信号に対して周波数混合処理を実行し、次に、第１無線周波数帯を有する第３アップリンク無線周波数信号を信号送信先へ送信するか、または、第１無線周波数帯を有する第３アップリンク無線周波数信号を形成するために、第２混合器によって生成される局部周波数信号を使用することによって、第３無線周波数帯を有するアップリンク無線周波数信号に対して周波数混合処理を実行し、次に、第１無線周波数帯を有する第３アップリンク無線周波数信号を信号送信先へ送信する段階とを備える。
【０１３４】
本発明の上述の実施形態における説明において、ＤＡＳが同一周波数帯ダブルストリーム処理をサポートする例が使用されるが、同一の周波数帯を有する、２より多くの（すなわち、複数の）アップリンク無線周波数信号が存在する場合が除外されるわけではないことに留意されたい。２つより多くのアップリンク無線周波数信号の処理も、この実施形態において説明される技術的解決法に含まれるものとする。従って、ＤＡＳは、同一の周波数帯を有する複数の信号を同時に伝送し得て、それにより、ＤＡＳのシステム容量を大幅に増やす。
【０１３５】
本発明のこの実施形態において提供される分散アンテナシステムＤＡＳは、無線通信ネットワークに適用され得ることに留意されたい。無線通信ネットワークは、ＤＡＳを含み得て、さらに、受動ＤＡＳによってサービスが提供されるユーザ装置を含み得る。加えて、本願のこの実施形態における「第１」、「第２」、「第３」、および「第４」などの数は、明確な説明、または、区別のみを目的とするものであり、解決法の優劣を示すものではない。
【０１３６】
上記より、本発明のこの実施形態は、分散アンテナシステムＤＡＳによって実行される信号伝送方法を提供することが分かり得る。ＤＡＳは、近端信号生成デバイス、受動ＤＡＳ回線、および遠端伝送デバイスを備える。近端信号生成デバイスは、信号源および第１信号生成器を有し、遠端伝送デバイスは、第１受動混合器および第１アンテナを有する。第１信号生成器は、第１局部周波数信号を生成し、受動ＤＡＳ回線を使用することによって第１局部周波数信号を第１受動混合器へ送信する。第１受動混合器は、第１局部周波数信号と、第２無線周波数帯を有するダウンリンク無線周波数信号とを受信する。第１受動混合器はさらに、第１無線周波数帯を有する第１ダウンリンク無線周波数信号を形成するために、第１局部周波数信号を使用することによって、第２無線周波数帯を有する、受信されたダウンリンク無線周波数信号に対して周波数混合処理を実行し、次に、第１無線周波数帯を有する第１ダウンリンク無線周波数信号を第１アンテナへ送信する。第１アンテナは、第１無線周波数帯を有する、受信された第１ダウンリンク無線周波数信号を伝送する。既存のＤＡＳと比較すると、受動混合器は、遠端伝送デバイス上で提供され、周波数混合処理は、別のデバイスによって受動混合器へ伝達された局部周波数信号を使用することによって実行される。つまり、混合器は、電力が混合器に供給されるときに局部周波数信号を生成する必要が無く、それにより、電力がＤＡＳ内の遠端における能動混合器へ供給される既存の解決法がもたらす、施工の難易度が高く費用が高いという問題を回避する。
【０１３７】
［実施形態３］  図１０は、実施形態２に記載の方法を実行するために使用される、本発明の実施形態に係る分散アンテナシステムＤＡＳの構造図である。図１０に示されるように、分散アンテナシステムＤＡＳは、プロセッサ１００１、通信ユニット１００２、伝送器１００３、メモリ１００４、および受動ＤＡＳ回線１００５を備え得る。受動ＤＡＳ回線１００５は、これらのデバイスの間の接続および相互通信を実装するように構成される。
【０１３８】
プロセッサ１００１は、中央演算処理装置（英語名：ｃｅｎｔｒａｌ  ｐｒｏｃｅｓｓｉｎｇ  ｕｎｉｔ、略称：ＣＰＵ）であり得る。
【０１３９】
メモリ１００４は、例えばランダムアクセスメモリ（英語名：ｒａｎｄｏｍ−ａｃｃｅｓｓ  ｍｅｍｏｒｙ、略称：ＲＡＭ）などの揮発性メモリ（英語名：ｖｏｌａｔｉｌｅ  ｍｅｍｏｒｙ）、または、例えばリードオンリメモリ（英語名：ｒｅａｄ−ｏｎｌｙ  ｍｅｍｏｒｙ、略称：ＲＯＭ）、フラッシュメモリ（英語名：ｆｌａｓｈ  ｍｅｍｏｒｙ）、ハードディスクドライブ（英語名：ｈａｒｄ  ｄｉｓｋ  ｄｒｉｖｅ、略称：ＨＤＤ）、もしくはソリッドステートドライブ（英語名：ｓｏｌｉｄ−ｓｔａｔｅ  ｄｒｉｖｅ、ＳＳＤ）などの不揮発性メモリ（英語名：ｎｏｎ−ｖｏｌａｔｉｌｅ  ｍｅｍｏｒｙ）、または、上述の種類のメモリの組み合わせであり得る。メモリ１００４は、命令およびデータをプロセッサ１００１に提供する。
【０１４０】
通信ユニット１００２は、第１局部周波数信号と、第２無線周波数帯を有するダウンリンク無線周波数信号とを受信するように構成される。
【０１４１】
第２無線周波数帯を有するダウンリンク無線周波数信号は、第１局部周波数信号と、信号源によって送信される、第１無線周波数帯を有する第１ダウンリンク無線周波数信号とに対して周波数混合が実行された後に生成される信号である。第１無線周波数帯および第２無線周波数帯は、互いに重複しない。
【０１４２】
任意で、第２無線周波数帯を有するダウンリンク無線周波数信号は、受動ＤＡＳ回線を使用することによる伝送に比較的適した信号であり得る。つまり、受動ＤＡＳ回線を使用することによってダウンリンク無線周波数信号が伝送されるときにもたらされる、第２無線周波数帯を有するダウンリンク無線周波数信号の減衰は、受動ＤＡＳ回線を使用することによって第１ダウンリンク無線周波数信号が伝送されるときにもたらされる、第１ダウンリンク無線周波数信号の減衰より小さい。これにより、信号伝送中の減衰が低減し、信号伝送距離が増加する。
【０１４３】
プロセッサ１００１は、第１無線周波数帯を有する第１ダウンリンク無線周波数信号を形成するために、通信ユニット１００２によって受信される第１局部周波数信号を使用することによって、第２無線周波数帯を有するダウンリンク無線周波数信号に対して周波数混合処理を実行するように構成される。第２無線周波数帯を有するダウンリンク無線周波数信号は、第１局部周波数信号、および、第１無線周波数帯を有する第１ダウンリンク無線周波数信号の後に生成される信号であり、第１無線周波数帯および第２無線周波数帯は、互いに重複しない。
【０１４４】
周波数混合処理は、アップコンバート処理であり得るか、または、ダウンコンバート処理であり得る。アップコンバート処理は、第１局部周波数信号の周波数帯および第２無線周波数帯を加算し、ダウンリンク無線周波数信号の周波数帯を、第２無線周波数帯より高い第１無線周波数帯に移動させることであり得る。ダウンコンバート処理は、第１局部周波数信号の周波数帯を第２無線周波数帯から減算し、ダウンリンク無線周波数信号の周波数帯を、第２無線周波数帯より低い第１無線周波数帯へ移動させることであり得る。
【０１４５】
例えば、第１無線周波数帯がＦ１＝［１．８５０−１．８６０］ＧＨｚであり、かつ、第２無線周波数帯がＦ２＝［０．８５０−０．８６０］ＧＨｚである場合、第１受動混合器３０１は、第１局部周波数信号Ｆ＝１ＧＨｚ使用することによって、第２無線周波数帯Ｆ２＝［０．８５０−０．８６０］ＧＨｚを有する信号を周波数帯Ｆ１＝［１．８５０−１．８６０］ＧＨｚにアップコンバートし得る。
【０１４６】
第１無線周波数帯がＦ１＝［１．８５０−１．８６０］ＧＨｚであり、かつ、第２無線周波数帯がＦ２＝［２．０５０−２．０６０］ＧＨｚである場合、第１受動混合器３０１は、第１局部周波数信号Ｆ＝０．２００ＧＨｚを使用することによって、第２無線周波数帯Ｆ２＝［２．０５０−２．０６０］ＧＨｚを有する信号を周波数帯Ｆ１＝［１．８５０−１．８６０］ＧＨｚにダウンコンバートし得る。
【０１４７】
伝送器１００３は、第１無線周波数帯を有する第１ダウンリンク無線周波数信号を伝送するように構成される。
【０１４８】
任意で、通信ユニット１００２はさらに、第２無線周波数帯を有するダウンリンク無線周波数信号を通信ユニット１００２が受信する前に、第１無線周波数帯を有する第１ダウンリンク無線周波数信号を受信するように構成される。
【０１４９】
プロセッサ１００１はさらに、第２無線周波数帯を有するダウンリンク無線周波数信号を形成するために、通信ユニット１００２によって受信された第１ダウンリンク無線周波数信号に対して周波数混合処理を実行するように構成される。
【０１５０】
通信ユニット１００２はさらに、合波済みダウンリンク無線周波数信号を形成するために、プロセッサ１００１によって形成された、第２無線周波数帯を有する、受信されたダウンリンク無線周波数信号と、受信された第１局部周波数信号とを合波するように構成される。
【０１５１】
プロセッサ１００１はさらに、第２無線周波数帯を有するダウンリンク無線周波数信号と、第１局部周波数信号とを取得するために、通信ユニット１００２によって形成された合波済みダウンリンク無線周波数信号における信号を分離するように構成される。
【０１５２】
さらに、本発明のこの実施形態において提供されるＤＡＳは、同一周波数帯ダブルストリーム伝送をさらにサポートし得る。例えば、ＤＡＳは、伝送のために、ダウンリンク無線周波数信号と、変換されたダウンリンク無線周波数信号とを共に合波し得る。具体的には、通信ユニット１００２はさらに、第１無線周波数帯を有する第２ダウンリンク無線周波数信号を受信し、第１無線周波数帯を有する第２ダウンリンク無線周波数信号を合波済みダウンリンク無線周波数信号の中に合波するように構成される。
【０１５３】
プロセッサ１００１はさらに、第１無線周波数帯を有する第２ダウンリンク無線周波数信号を合波済みダウンリンク無線周波数信号から取得するように構成される。
【０１５４】
伝送器１００３はさらに、第１無線周波数帯を有する第２ダウンリンク無線周波数信号を伝送するように構成される。
【０１５５】
第２の合波済みダウンリンク無線周波数信号を形成するために、第１ダウンリンク無線周波数信号を合波済みダウンリンク無線周波数信号の中に合波する段階は、第２の合波済みダウンリンク無線周波数信号を再度形成するために、第１ダウンリンク無線周波数信号および元の信号を合波済みダウンリンク無線周波数信号の中に共に合波する段階を有し得る。
【０１５６】
このように、同一の周波数帯を有する２つの信号は、ＤＡＳシステムを使用することによって伝送される。シングルストリーム伝送のみをサポートする既存のＤＡＳシステムと比較すると、システム容量が増加する。
【０１５７】
さらに、ＤＡＳシステムの伝送容量をより良く改善するために、本発明のこの実施形態において提供されるＤＡＳはさらに、同一の無線周波数帯を有する複数の信号の伝送をサポートし得る。例えば、同一の周波数帯を有する少なくとも２つのダウンリンク無線周波数信号に対して周波数混合処理が別々に実行された後に、異なる周波数帯を有する信号が形成され、次に、共に合波されて遠端へ送信される。合波信号に従って、遠端において複数の無線周波数信号が取得された後、複数のアンテナを使用することによって複数の無線周波数信号が伝送される。具体的には、通信ユニット１００２はさらに、第１無線周波数帯を有する、第２局部周波数信号および第３ダウンリンク無線周波数信号を受信するように構成される。
【０１５８】
プロセッサ１００１はさらに、第３無線周波数帯を有するダウンリンク無線周波数信号を形成するために、通信ユニット１００２によって受信される、第１無線周波数帯を有する第３ダウンリンク無線周波数信号に対して周波数混合処理を実行するように構成される。ここで、第３無線周波数帯および第１無線周波数帯は、互いに重複しない。
【０１５９】
通信ユニット１００２はさらに、第３無線周波数帯を有するダウンリンク無線周波数信号と、第２局部周波数信号とを合波済みダウンリンク無線周波数信号の中に合波するように構成される。
【０１６０】
プロセッサ１００１はさらに、合波済みダウンリンク無線周波数信号に従って、第３無線周波数帯を有するダウンリンク無線周波数信号と、第２局部周波数信号とを取得し、第１無線周波数帯を有する第３ダウンリンク無線周波数信号を形成するために、第２局部周波数信号を使用することによって第３無線周波数帯を有するダウンリンク無線周波数信号に対して周波数混合処理を実行するように構成される。
【０１６１】
伝送器１００３はさらに、第１無線周波数帯を有する第３ダウンリンク無線周波数信号を伝送するように構成される。
【０１６２】
第３合波済みダウンリンク無線周波数信号を形成するために、第３無線周波数帯を有する、受信されたダウンリンク無線周波数信号と、受信された第２局部周波数信号とを、合波済みダウンリンク無線周波数信号の中に合波することは、第３無線周波数帯を有する、受信されたダウンリンク無線周波数信号と、受信された第２局部周波数信号と、合波済みダウンリンク無線周波数信号における元の信号とを共に合波し、合波済みダウンリンク無線周波数信号を再度形成することを含み得る。
【０１６３】
本発明の上述の実施形態における説明において、ＤＡＳが同一周波数帯ダブルストリーム処理をサポートする例が使用されるが、同一の周波数帯を有する、２より多くの（すなわち、複数の）アップリンク無線周波数信号が存在する場合が除外されるわけではないことに留意されたい。２つより多くのアップリンク無線周波数信号の処理も、この実施形態において説明される技術的解決法に含まれるものとする。従って、ＤＡＳは、同一の周波数帯を有する複数の信号を同時に伝送し得て、それにより、ＤＡＳのシステム容量を大幅に増やす。
【０１６４】
通信処理において、ダウンリンク信号を送信するための逆処理として、分散アンテナシステムはさらに、アップリンク信号を受信して、アップリンク信号を処理するように使用され得る。アップリンク信号の処理は、ダウンリンク信号の処理のための逆処理であり得て、または、アップリンク信号の処理とダウンリンク信号の処理との間にいくつかの違いが存在し得ることを理解されたい。  例えば、図１１は、実施形態２に記載の方法を実行するために使用される、本発明の実施形態に係る分散アンテナシステムＤＡＳの構造図である。図１１に示されるように、分散アンテナシステムＤＡＳは、プロセッサ１１０１、通信ユニット１１０２、伝送器１１０３、メモリ１１０４、および受動ＤＡＳ回線１１０５を備え得る。受動ＤＡＳ回線１１０５は、これらのデバイスの間の接続および相互通信を実装するように構成される。
【０１６５】
プロセッサ１１０１は、中央演算処理装置（英語名：ｃｅｎｔｒａｌ  ｐｒｏｃｅｓｓｉｎｇ  ｕｎｉｔ、略称：ＣＰＵ）であり得る。
【０１６６】
メモリ１１０４は、例えばランダムアクセスメモリ（英語名：ｒａｎｄｏｍ−ａｃｃｅｓｓ  ｍｅｍｏｒｙ、略称：ＲＡＭ）などの揮発性メモリ（英語名：ｖｏｌａｔｉｌｅ  ｍｅｍｏｒｙ）、または、例えばリードオンリメモリ（英語名：ｒｅａｄ−ｏｎｌｙ  ｍｅｍｏｒｙ、略称：ＲＯＭ）、フラッシュメモリ（英語名：ｆｌａｓｈ  ｍｅｍｏｒｙ）、ハードディスクドライブ（英語名：ｈａｒｄ  ｄｉｓｋ  ｄｒｉｖｅ、略称：ＨＤＤ）、もしくはソリッドステートドライブ（英語名：ｓｏｌｉｄ−ｓｔａｔｅ  ｄｒｉｖｅ、ＳＳＤ）などの不揮発性メモリ（英語名：ｎｏｎ−ｖｏｌａｔｉｌｅ  ｍｅｍｏｒｙ）、または、上述の種類のメモリの組み合わせであり得る。メモリ１１０４は、命令およびデータをプロセッサ１１０１に提供する。
【０１６７】
通信ユニット１１０２は、第１局部周波数信号を受信し、第１局部周波数信号を伝送器１１０３へ送信するように構成される。
【０１６８】
伝送器１１０３は、第１無線周波数帯を有する第１アップリンク無線周波数信号を受信し、第２無線周波数帯を有するアップリンク無線周波数信号を形成するために、第１局部周波数信号を使用することによって、第１無線周波数帯を有する第１アップリンク無線周波数信号に対して周波数混合処理を実行するように構成される。
【０１６９】
プロセッサ１１０１は、第１無線周波数帯を有する第１アップリンク無線周波数信号を形成するために、伝送器１１０３によって形成される、第２無線周波数帯を有するアップリンク無線周波数信号に対して周波数混合処理を実行するように構成される。
【０１７０】
さらに、本発明のこの実施形態において提供されるＤＡＳは、ＤＡＳシステムの容量を拡張するために、同一周波数帯ダブルストリーム伝送をさらにサポートし得る。例えば、アップリンク無線周波数信号、および、変換されたアップリンク無線周波数信号は、伝送のために共に合波され得る。具体的には、伝送器１１０３はさらに、第１無線周波数帯を有する第２アップリンク無線周波数信号を受信し、合波済みアップリンク無線周波数信号を形成するために、第１無線周波数帯を有する第２アップリンク無線周波数信号と、第２無線周波数帯を有するアップリンク無線周波数信号に対して合波処理を実行するように構成される。ここで、第１無線周波数帯および第２無線周波数帯は、互いに重複しない。
【０１７１】
プロセッサ１１０１はさらに、第１無線周波数帯を有する第２アップリンク無線周波数信号を取得するために、伝送器１１０３によって受信される合波済みアップリンク無線周波数信号における信号を分離するように構成される。
【０１７２】
さらに、ＤＡＳシステムの伝送容量をより良く改善するために、本発明のこの実施形態において提供されるＤＡＳはさらに、同一の無線周波数帯を有する複数の信号の伝送をサポートし得る。例えば、同一の周波数帯を有する少なくとも２つのアップリンク無線周波数信号に対して周波数混合処理が別々に実行された後に、異なる周波数帯を有する信号が形成され、次に、共に合波されて近端における信号送信先へ送信される。具体的には、通信ユニット１１０２はさらに、第２局部周波数信号を受信し、第２局部周波数信号を伝送器１１０３へ送信するように構成される。
【０１７３】
伝送器１１０３はさらに、第１無線周波数帯を有する第３アップリンク無線周波数信号を受信し、第３無線周波数帯を有するアップリンク無線周波数信号を形成するために、第２局部周波数信号を使用することによって、第１無線周波数帯を有する第３アップリンク無線周波数信号に対して周波数混合処理を実行するように構成される。ここで、第３無線周波数帯および第２無線周波数帯は互いに重複しない。
【０１７４】
伝送器１１０３はさらに、第３無線周波数帯を有するアップリンク無線周波数信号を合波済みアップリンク無線周波数信号の中に合波するように構成される。
【０１７５】
プロセッサ１１０１はさらに、第３無線周波数帯を有するアップリンク無線周波数信号を取得するために、合波済みアップリンク無線周波数信号における信号を分離するように構成される。
【０１７６】
プロセッサ１１０１はさらに、第１無線周波数帯を有する第３アップリンク無線周波数信号を形成するために、第３無線周波数帯を有するアップリンク無線周波数信号に対して周波数混合処理を実行するように構成される。
【０１７７】
本発明の上述の実施形態における説明において、ＤＡＳが同一周波数帯ダブルストリーム処理をサポートする例が使用されるが、同一の周波数帯を有する、２より多くの（すなわち、複数の）アップリンク無線周波数信号が存在する場合が除外されるわけではないことに留意されたい。２つより多くのアップリンク無線周波数信号の処理も、この実施形態において説明される技術的解決法に含まれるものとする。従って、ＤＡＳは、同一の周波数帯を有する複数の信号を同時に伝送し得て、それにより、ＤＡＳのシステム容量を大幅に増やす。
【０１７８】
本発明のこの実施形態において提供される分散アンテナシステムＤＡＳは、無線通信ネットワークに適用され得ることに留意されたい。無線通信ネットワークは、ＤＡＳを含み得て、さらに、受動ＤＡＳによってサービスが提供されるユーザ装置を含み得る。加えて、本願のこの実施形態における「第１」、「第２」、「第３」、および「第４」などの数は、明確な説明、または、区別のみを目的とするものであり、解決法の優劣を示すものではない。
【０１７９】
上記より、本発明のこの実施形態は、プロセッサ、通信ユニット、および伝送器を備えるＤＡＳを提供することが分かり得る。通信ユニットは、第１局部周波数信号と、第２無線周波数帯を有するダウンリンク無線周波数信号とを受信するように構成される。プロセッサは、第１無線周波数帯を有する第１ダウンリンク無線周波数信号を形成するために、通信ユニットによって受信される第１局部周波数信号を使用することによって、第２無線周波数帯を有するダウンリンク無線周波数信号に対して周波数混合処理を実行するように構成される。第２無線周波数帯を有するダウンリンク無線周波数信号は、第１局部周波数信号と、第１無線周波数帯を有する第１ダウンリンク無線周波数信号とに対して周波数混合が実行された後に生成される信号である。第１無線周波数帯および第２無線周波数帯は、互いに重複しない。伝送器は、第１無線周波数帯を有する第１ダウンリンク無線周波数信号を伝送するように構成される。既存のＤＡＳと比較すると、受動混合器は、遠端伝送デバイス上で提供され、周波数混合処理は、別のデバイスによって受動混合器へ伝達された局部周波数信号を使用することによって実行される。つまり、混合器は、電力が混合器に供給されるときに局部周波数信号を生成する必要が無く、それにより、電力がＤＡＳ内の遠端における能動混合器へ供給される既存の解決法がもたらす、施工の難易度が高く費用が高いという問題を回避する。
【０１８０】
本願において提供される複数の実施形態において、開示されるシステム、デバイス、および方法は、他の方式で実装され得ることを理解すべきである。例えば、説明されるデバイスの実施形態は、単に例に過ぎない。例えば、ユニットの区分は、論理的機能の区分に過ぎず、実際の実装においては他の区分であってよい。例えば、複数のユニットまたはコンポーネントは、別のシステムと組み合わせられまたは統合されてよい。または、いくつかの機能は、無視されてよく、または、実行されなくてよい。加えて、表示または説明されている、相互連結もしくは直接的結合、または、通信接続は、いくつかのインタフェース、機器もしくはユニットの間の間接的結合もしくは通信接続、または、電気的接続、機械的接続、または他の形態の接続を通して実装され得る。
【０１８１】
別個のデバイスとして説明されるユニットは、物理的に別個であっても、そうでなくてもよく、ユニットとして表示されるデバイスは、物理的なユニットであっても、そうでなくてもよく、１か所に位置しても、または、複数のネットワークユニット上に分散されてもよい。ユニットのいくつかまたはすべては、実施形態の解決法の目的を実現すべく、実際の必要性に従って、選択されてよい。
【０１８２】
加えて、本発明の実施形態における機能ユニットは、１つの処理ユニットに統合されてよく、またはユニットの各々が物理的に単独で存在してよく、または２つもしくはそれより多くのユニットが１つのユニットに統合される。統合ユニットは、ハードウェアの形式で実装されてよく、または、ソフトウェア機能ユニットに加えて、ハードウェアの形式で実装されてよい。
【０１８３】
上述の統合ユニットがソフトウェア機能ユニットの形式で実装される場合に、統合ユニットは、コンピュータ可読記憶媒体に記憶されてよい。ソフトウェア機能ユニットは記憶媒体に記憶され、（パーソナルコンピュータ、サーバ、またはネットワークデバイスであってよい）コンピュータデバイスに命令して、本発明の複数の実施形態において説明された方法の段階の一部を実行させるためのいくつかの命令を含む。上述の記憶媒体は、ＵＳＢフラッシュドライブ、リムーバブルハードディスク、リードオンリメモリ（Ｒｅａｄ−Ｏｎｌｙ  Ｍｅｍｏｒｙ、略称：ＲＯＭ）、ランダムアクセスメモリ（Ｒａｎｄｏｍ  Ａｃｃｅｓｓ  Ｍｅｍｏｒｙ、略称：ＲＡＭ）、磁気ディスク、または光ディスクなどの、プログラムコードを記憶可能な任意の媒体を含む。
【０１８４】
当業者であれば、実施形態における方法の段階のすべてまたは一部が、関連するハードウェアに命令するプログラムによって実装され得ることを理解しよう。プログラムは、コンピュータ可読記憶媒体内に記憶され得る。記憶媒体は、リードオンリメモリ、ランダムアクセスメモリ、磁気ディスク、または光ディスクを含み得る。
【０１８５】
最後に、上述の実施形態は、本発明の技術的解決法を説明することを意図されたものに過ぎず、本発明を限定するものではないことに留意されたい。本発明は上述の実施形態に関連して詳細に説明されたが、当業者は、彼らが更に、本発明の実施形態の技術的解決法の範囲から逸脱することなく、上述の実施形態において説明された技術的解決法に対して変更を施し得ること、または、上述の実施形態のいくつかの技術的特徴に対して等価な置き換えを施し得ることを理解するべきである。
【図１】
2018525860.tif 000003
【図２】
2018525860.tif 000004
【図３】
2018525860.tif 000005
【図４】
2018525860.tif 000006
【図５】
2018525860.tif 000007
【図６】
2018525860.tif 000008
【図７】
2018525860.tif 000009
【図８】
2018525860.tif 000010
【図９】
2018525860.tif 000011
【図１０】
2018525860.tif 000012
【図１１】
2018525860.tif 000013
【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
近端信号生成デバイス、受動ＤＡＳ回線、および遠端伝送デバイスを備える分散アンテナシステム（ＤＡＳ）であって、前記近端信号生成デバイスは、信号源および第１信号生成器を有し、前記遠端伝送デバイスは、第１受動混合器および第１アンテナを有し、
前記第１信号生成器は、第１局部周波数信号を生成し、前記受動ＤＡＳ回線を使用することによって前記第１局部周波数信号を前記第１受動混合器へ送信し、
前記第１受動混合器は、前記第１局部周波数信号と、第２無線周波数帯を有するダウンリンク無線周波数信号とを受信し、
前記第１受動混合器はさらに、第１無線周波数帯を有する第１ダウンリンク無線周波数信号を形成するために、前記第１局部周波数信号を使用することによって、前記第２無線周波数帯を有する、受信された前記ダウンリンク無線周波数信号に対して周波数混合処理を実行し、次に、前記第１無線周波数帯を有する前記第１ダウンリンク無線周波数信号を前記第１アンテナへ送信し、
前記第１アンテナは、前記第１無線周波数帯を有する、受信された前記第１ダウンリンク無線周波数信号を伝送する、
ＤＡＳ。
【請求項２】
前記近端信号生成デバイスはさらに、第１混合器および合波器を有し、前記遠端伝送デバイスはさらに、分波器を有し、
前記第１混合器は、前記信号源によって送信される、前記第１無線周波数帯を有する前記第１ダウンリンク無線周波数信号を受信し、
前記第１混合器はさらに、前記第１信号生成器によって生成される前記第１局部周波数信号を使用することによって、前記第１ダウンリンク無線周波数信号に対して周波数混合処理を実行し、周波数混合後に生成される、前記第２無線周波数帯を有する前記ダウンリンク無線周波数信号を前記合波器へ送信するように、または、
前記第１混合器によって生成される局部周波数信号を使用することによって前記第１ダウンリンク無線周波数信号に対して周波数混合処理を実行し、周波数混合後に生成される、前記第２無線周波数帯を有する前記ダウンリンク無線周波数信号を前記合波器へ送信し、
前記第１信号生成器は、具体的には、前記第１局部周波数信号を前記合波器へ送信し、
前記合波器は、前記第２無線周波数帯を有する前記ダウンリンク無線周波数信号と、前記第１局部周波数信号とを受信し、合波済みダウンリンク無線周波数信号を形成するために、前記第２無線周波数帯を有する、受信された前記ダウンリンク無線周波数信号と、受信された前記第１局部周波数信号とを合波し、次に、前記受動ＤＡＳ回線を使用することによって、前記合波済みダウンリンク無線周波数信号を前記分波器へ送信し、
前記分波器は、前記合波済みダウンリンク無線周波数信号を受信し、前記第２無線周波数帯を有する前記ダウンリンク無線周波数信号と、前記第１局部周波数信号とを取得するために、受信された前記合波済みダウンリンク無線周波数信号に含まれる信号を分離し、次に、前記第２無線周波数帯を有する前記ダウンリンク無線周波数信号と、前記第１局部周波数信号を前記第１受動混合器へ送信し、
前記第１受動混合器は、前記第１局部周波数信号と、前記第２無線周波数帯を有する前記ダウンリンク無線周波数信号とを受信し、具体的には、前記第１受動混合器は、前記第１局部周波数信号と、前記分波器によって送信される、前記第２無線周波数帯を有する前記ダウンリンク無線周波数信号とを受信する、
請求項１に記載のＤＡＳ。
【請求項３】
前記遠端伝送デバイスはさらに、第２アンテナを有し、
前記合波器はさらに、前記信号源によって送信される、前記第１無線周波数帯を有する第２ダウンリンク無線周波数信号を受信し、前記第２ダウンリンク無線周波数信号を前記合波済みダウンリンク無線周波数信号の中に合波し、合波後に取得されるダウンリンク無線周波数信号を前記分波器へ送信し、
前記分波器はさらに、前記第１無線周波数帯を有する前記第２ダウンリンク無線周波数信号を取得し、次に、前記第１無線周波数帯を有する前記第２ダウンリンク無線周波数信号を前記第２アンテナへ送信し、
前記第２アンテナは、前記第１無線周波数帯を有する、受信された前記第２ダウンリンク無線周波数信号を伝送する、
請求項２に記載のＤＡＳ。
【請求項４】
前記近端信号生成デバイスはさらに、第２信号生成器および第２混合器を有し、前記遠端伝送デバイスはさらに、第２受動混合器および第３アンテナを有し、
前記第２信号生成器は、第２局部周波数信号を生成し、前記第２局部周波数信号を前記合波器へ送信し、
前記第２混合器は、前記信号源によって送信される、前記第１無線周波数帯を有する第３ダウンリンク無線周波数信号を受信し、
前記第２混合器はさらに、前記第２信号生成器によって送信される前記第２局部周波数信号を受信し、第３無線周波数帯を有するダウンリンク無線周波数信号を形成するために、前記第２局部周波数信号を使用することによって、前記第１無線周波数帯を有する前記第３ダウンリンク無線周波数信号に対して周波数混合処理を実行し、次に、前記第３無線周波数帯を有する前記ダウンリンク無線周波数信号を前記合波器へ送信するように、または、
第３無線周波数帯を有するダウンリンク無線周波数信号を形成するために、前記第２混合器によって生成される局部周波数信号を使用することによって、前記第１無線周波数帯を有する前記第３ダウンリンク無線周波数信号に対して周波数混合処理を実行し、次に、前記第３無線周波数帯を有する前記ダウンリンク無線周波数信号を前記合波器へ送信し、前記第３無線周波数帯と前記第１無線周波数帯とは互いに重複せず、
前記合波器はさらに、前記第２混合器によって送信される、前記第３無線周波数帯を有する前記ダウンリンク無線周波数信号と、前記第２信号生成器によって送信される前記第２局部周波数信号とを受信し、前記第３無線周波数帯を有する、受信された前記ダウンリンク無線周波数信号と、受信された前記第２局部周波数信号とを前記合波済みダウンリンク無線周波数信号の中に合波し、合波後に取得されるダウンリンク無線周波数信号を前記分波器へ送信し、
前記分波器はさらに、前記第３無線周波数帯を有する前記ダウンリンク無線周波数信号と前記第２局部周波数信号とを取得し、次に、前記第３無線周波数帯を有する前記ダウンリンク無線周波数信号と、前記第２局部周波数信号とを前記第２受動混合器へ送信し、
前記第２受動混合器は、前記第１無線周波数帯を有する前記第３ダウンリンク無線周波数信号を形成するために、前記第２局部周波数信号を使用することによって、前記第３無線周波数帯を有する前記ダウンリンク無線周波数信号に対して周波数混合処理を実行し、次に、前記第１無線周波数帯を有する前記第３ダウンリンク無線周波数信号を前記第３アンテナへ送信し、
前記第３アンテナは、前記第１無線周波数帯を有する、受信された前記第３ダウンリンク無線周波数信号を伝送する、
請求項２または３に記載のＤＡＳ。
【請求項５】
近端信号受信デバイスと、受動ＤＡＳ回線と、遠端受信デバイスとを備える分散アンテナシステムＤＡＳであって、前記近端信号受信デバイスは、信号送信先と、第１信号生成器と、第１混合器とを有し、前記遠端受信デバイスは、第１受動混合器および第１アンテナを有し、
前記第１信号生成器は、第１局部周波数信号を生成し、前記受動ＤＡＳ回線を使用することによって、前記第１局部周波数信号を前記第１受動混合器へ送信し、
前記第１アンテナは、第１無線周波数帯を有する第１アップリンク無線周波数信号を受信し、前記第１無線周波数帯を有する前記第１アップリンク無線周波数信号を前記第１受動混合器へ送信し、
前記第１受動混合器は、前記第１局部周波数信号を受信し、第２無線周波数帯を有するアップリンク無線周波数信号を形成するために、受信された前記第１局部周波数信号を使用することによって、前記第１無線周波数帯を有する前記第１アップリンク無線周波数信号に対して周波数混合処理を実行し、次に、前記受動ＤＡＳ回線を使用することによって、前記第２無線周波数帯を有する前記アップリンク無線周波数信号を前記第１混合器へ送信し、
前記第１混合器は、前記第２無線周波数帯を有する前記アップリンク無線周波数信号を受信し、
前記第１混合器はさらに、前記第１無線周波数帯を有する前記第１アップリンク無線周波数信号を形成するために、前記第１信号生成器によって生成される前記第１局部周波数信号を使用することによって、前記第２無線周波数帯を有する、受信された前記アップリンク無線周波数信号に対して、周波数混合処理を実行し、次に、前記第１無線周波数帯を有する前記第１アップリンク無線周波数信号を前記信号送信先へ送信するか、または、前記第１無線周波数帯を有する前記第１アップリンク無線周波数信号を形成するために、前記第１混合器によって生成される局部周波数信号を使用することによって、前記第２無線周波数帯を有する、受信された前記アップリンク無線周波数信号に対して周波数混合処理を実行し、次に、前記第１無線周波数帯を有する前記第１アップリンク無線周波数信号を前記信号送信先へ送信する、
ＤＡＳ。
【請求項６】
前記遠端受信デバイスはさらに、第２アンテナおよび第１合波器を有し、前記近端信号受信デバイスはさらに、第２分波器を有し、
前記第２アンテナは、前記第１無線周波数帯を有する第２アップリンク無線周波数信号を受信し、前記第１無線周波数帯を有する前記第２アップリンク無線周波数信号を前記第１合波器へ送信し、
前記第１受動混合器は、具体的には、前記第２無線周波数帯を有する前記アップリンク無線周波数信号を前記第１合波器へ送信し、
前記第１合波器は、前記第２アンテナによって送信される、前記第１無線周波数帯を有する前記第２アップリンク無線周波数信号と、前記第１受動混合器によって送信される、前記第２無線周波数帯を有する前記アップリンク無線周波数信号とを受信し、合波済みアップリンク無線周波数信号を形成するために、前記第１無線周波数帯を有する前記第２アップリンク無線周波数信号、および、前記第２無線周波数帯を有する前記アップリンク無線周波数信号に対して合波処理を実行し、次に、前記受動ＤＡＳ回線を使用することによって、前記合波済みアップリンク無線周波数信号を前記第２分波器へ送信し、前記第１無線周波数帯および前記第２無線周波数帯は互いに重複せず、
前記第２分波器は、前記合波済みアップリンク無線周波数信号を受信し、前記第１無線周波数帯を有する前記第２アップリンク無線周波数信号を取得するために、および、前記第２無線周波数帯を有する前記アップリンク無線周波数信号を取得するために、受信された前記合波済みアップリンク無線周波数信号における信号を分離し、次に、前記第１無線周波数帯を有する前記第２アップリンク無線周波数信号を前記信号送信先へ送信し、前記第２無線周波数帯を有する前記アップリンク無線周波数信号を前記第１混合器へ送信し、
前記第１混合器は、具体的には、前記第２分波器によって送信される、前記第２無線周波数帯を有する前記アップリンク無線周波数信号を受信する、
請求項５に記載のＤＡＳ。
【請求項７】
前記近端信号受信デバイスはさらに、第２信号生成器と、第２合波器と、第２混合器とを有し、前記遠端受信デバイスはさらに、第３アンテナと、第２受動混合器と、第１分波器とを有し、前記第２信号生成器は、第２局部周波数信号を生成し、前記第２局部周波数信号を前記第２合波器へ送信し、
前記第１信号生成器は、具体的には、前記第１局部周波数信号を前記第２合波器へ送信し、
前記第２合波器は、前記第１信号生成器によって送信される前記第１局部周波数信号と、前記第２信号生成器によって送信される前記第２局部周波数信号とを受信し、第１合波信号を形成するために、前記第１局部周波数信号および前記第２局部周波数信号に対して合波処理を実行し、次に、前記受動ＤＡＳ回線を使用することによって、前記第１合波信号を前記第１分波器へ送信し、
前記第１分波器は、前記第１合波信号を受信し、前記第１局部周波数信号を取得するために、および、前記第２局部周波数信号を取得するために、前記第１合波信号における信号を分離し、次に、前記第１局部周波数信号を前記第１受動混合器へ送信し、前記第２局部周波数信号を前記第２受動混合器へ送信し、
前記第１受動混合器は、具体的には、前記第１分波器によって送信される前記第１局部周波数信号を受信し、
前記第３アンテナは、前記第１無線周波数帯を有する第３アップリンク無線周波数信号を受信し、前記第１無線周波数帯を有する前記第３アップリンク無線周波数信号を前記第２受動混合器へ送信し、
前記第２受動混合器は、前記第１分波器によって送信される前記第２局部周波数信号と、前記第３アンテナによって送信される、前記第１無線周波数帯を有する前記第３アップリンク無線周波数信号とを受信し、第３無線周波数帯を有するアップリンク無線周波数信号を形成するために、前記第２局部周波数信号を使用することによって、前記第１無線周波数帯を有する前記第３アップリンク無線周波数信号に対して周波数混合処理を実行し、次に、前記第３無線周波数帯を有する前記アップリンク無線周波数信号を前記第１合波器へ送信し、前記第３無線周波数帯および前記第２無線周波数帯は、互いに重複せず、
前記第１合波器はさらに、前記第２受動混合器によって送信される、前記第３無線周波数帯を有する前記アップリンク無線周波数信号を受信し、前記第３無線周波数帯を有する前記アップリンク無線周波数信号を前記合波済みアップリンク無線周波数信号の中に合波し、前記受動ＤＡＳ回線を使用することによって、前記第２分波器に合波した後に取得されるアップリンク無線周波数信号を送信し、
前記第２分波器はさらに、前記第３無線周波数帯を有する前記アップリンク無線周波数信号を取得し、次に、前記第３無線周波数帯を有する前記アップリンク無線周波数信号を前記第２混合器へ送信し、
前記第２混合器は、前記第２分波器によって送信される、前記第３無線周波数帯を有する前記アップリンク無線周波数信号を受信し、
前記第２混合器はさらに、前記第１無線周波数帯を有する前記第３アップリンク無線周波数信号を形成するために、前記第２信号生成器によって生成される前記第２局部周波数信号を使用することによって、前記第３無線周波数帯を有する前記アップリンク無線周波数信号に対して周波数混合処理を実行し、次に、前記第１無線周波数帯を有する前記第３アップリンク無線周波数信号を前記信号送信先へ送信するように、または、
前記第１無線周波数帯を有する前記第３アップリンク無線周波数信号を形成するために、前記第２混合器によって生成される局部周波数信号を使用することによって、前記第３無線周波数帯を有する前記アップリンク無線周波数信号に対して周波数混合処理を実行し、次に、前記第１無線周波数帯を有する前記第３アップリンク無線周波数信号を前記信号送信先へ送信する、
請求項６に記載のＤＡＳ。
【請求項８】
分散アンテナシステム（ＤＡＳ）によって実行される信号伝送方法であって、前記ＤＡＳは、近端信号生成デバイスと、受動ＤＡＳ回線と、遠端伝送デバイスとを備え、前記近端信号生成デバイスは、信号源および第１信号生成器を有し、前記遠端伝送デバイスは、第１受動混合器および第１アンテナを有し、
前記信号伝送方法は、
前記第１信号生成器が、第１局部周波数信号を生成し、前記受動ＤＡＳ回線を使用することによって前記第１局部周波数信号を前記第１受動混合器へ送信する段階と、
前記第１受動混合器が、前記第１局部周波数信号、および、第２無線周波数帯を有するダウンリンク無線周波数信号を受信する段階と、
前記第１受動混合器が、第１無線周波数帯を有する第１ダウンリンク無線周波数信号を形成するために、前記第１局部周波数信号を使用することによって、前記第２無線周波数帯を有する、受信された前記ダウンリンク無線周波数信号に対して周波数混合処理を実行し、次に、前記第１無線周波数帯を有する前記第１ダウンリンク無線周波数信号を前記第１アンテナへ送信する段階と、
前記第１アンテナが、前記第１無線周波数帯を有する、受信された前記第１ダウンリンク無線周波数信号を伝送する段階と
を備える信号伝送方法。
【請求項９】
前記近端信号生成デバイスはさらに、第１混合器および合波器を有し、前記遠端伝送デバイスはさらに、分波器を有し、
前記第１信号生成器が、前記第１局部周波数信号を前記第１受動混合器へ送信する前記段階は、具体的には、
前記第１信号生成器が、前記第１局部周波数信号を前記合波器へ送信し、前記合波器が、前記第１局部周波数信号を前記第１受動混合器へ送信する段階を有し、
第２無線周波数帯を有するダウンリンク無線周波数信号を前記第１受動混合器が受信する前記段階の前に、前記信号伝送方法はさらに、
前記第１混合器が、前記信号源によって送信される、前記第１無線周波数帯を有する前記第１ダウンリンク無線周波数信号を受信する段階と、
前記第１混合器が、前記第１信号生成器によって生成される前記第１局部周波数信号を使用することによって、前記第１ダウンリンク無線周波数信号に対して周波数混合処理を実行し、周波数混合後に生成される前記第２無線周波数帯を有する前記ダウンリンク無線周波数信号を前記合波器へ送信するか、または、
前記第１混合器によって生成される局部周波数信号を使用することによって、前記第１ダウンリンク無線周波数信号に対して周波数混合処理を実行し、周波数混合後に生成される、前記第２無線周波数帯を有する前記ダウンリンク無線周波数信号を前記合波器へ送信する段階と、
前記合波器が、前記第２無線周波数帯を有する前記ダウンリンク無線周波数信号と、前記第１局部周波数信号とを受信し、合波済みダウンリンク無線周波数信号を形成するために、前記第２無線周波数帯を有する、受信された前記ダウンリンク無線周波数信号と、受信された前記第１局部周波数信号とを合波し、次に、前記受動ＤＡＳ回線を使用することによって、前記合波済みダウンリンク無線周波数信号を前記分波器へ送信する段階と、
前記分波器が、前記合波済みダウンリンク無線周波数信号を受信し、前記第２無線周波数帯を有する前記ダウンリンク無線周波数信号と、前記第１局部周波数信号とを取得するために、受信された前記合波済みダウンリンク無線周波数信号に含まれる信号を分離し、次に、前記第２無線周波数帯を有する前記ダウンリンク無線周波数信号と、前記第１局部周波数信号とを前記第１受動混合器へ送信する段階と
を有し、
前記第１受動混合器が、前記第１局部周波数信号と、第２無線周波数帯を有するダウンリンク無線周波数信号とを受信する前記段階は、具体的には、前記第１受動混合器が、前記分波器によって送信される、前記第１局部周波数信号と、前記第２無線周波数帯を有する前記ダウンリンク無線周波数信号とを受信する段階とを有する、
請求項８に記載の信号伝送方法。
【請求項１０】
前記遠端伝送デバイスはさらに、第２アンテナを有し、前記信号伝送方法はさらに、
前記合波器が、前記信号源によって送信される、前記第１無線周波数帯を有する第２ダウンリンク無線周波数信号を受信し、前記第２ダウンリンク無線周波数信号を前記合波済みダウンリンク無線周波数信号の中に合波し、合波後に取得されるダウンリンク無線周波数信号を前記分波器へ送信する段階と、
前記分波器が、前記第１無線周波数帯を有する前記第２ダウンリンク無線周波数信号を取得し、次に、前記第１無線周波数帯を有する前記第２ダウンリンク無線周波数信号を前記第２アンテナへ送信する段階と、
前記第２アンテナが、前記第１無線周波数帯を有する、受信された前記第２ダウンリンク無線周波数信号を伝送する段階と
を備える、請求項９に記載の信号伝送方法。
【請求項１１】
前記近端信号生成デバイスはさらに、第２信号生成器および第２混合器を有し、前記遠端伝送デバイスはさらに、第２受動混合器および第３アンテナを有し、
前記信号伝送方法はさらに、
前記第２信号生成器が、第２局部周波数信号を生成し、前記第２局部周波数信号を前記合波器へ送信する段階と、
前記第２混合器が、前記信号源によって送信される、前記第１無線周波数帯を有する第３ダウンリンク無線周波数信号を受信する段階と、
前記第２混合器が、前記第２信号生成器によって送信される前記第２局部周波数信号を受信し、第３無線周波数帯を有するダウンリンク無線周波数信号を形成するために、前記第２局部周波数信号を使用することによって、前記第１無線周波数帯を有する前記第３ダウンリンク無線周波数信号に対して周波数混合処理を実行し、次に、前記第３無線周波数帯を有する前記ダウンリンク無線周波数信号を前記合波器へ送信するか、または、
第３無線周波数帯を有するダウンリンク無線周波数信号を形成するために、前記第２混合器によって生成される局部周波数信号を使用することによって、前記第１無線周波数帯を有する前記第３ダウンリンク無線周波数信号に対して周波数混合処理を実行し、次に、前記第３無線周波数帯を有する前記ダウンリンク無線周波数信号を前記合波器へ送信する段階であって、前記第３無線周波数帯および前記第１無線周波数帯は互いに重複しない、段階と、
前記合波器が、前記第２混合器によって送信される、前記第３無線周波数帯を有する前記ダウンリンク無線周波数信号と、前記第２信号生成器によって送信される前記第２局部周波数信号とを受信し、前記第３無線周波数帯を有する、受信された前記ダウンリンク無線周波数信号と、受信された前記第２局部周波数信号とを前記合波済みダウンリンク無線周波数信号の中に合波し、合波後に取得されるダウンリンク無線周波数信号を前記分波器へ送信する段階と、
前記分波器が、前記第３無線周波数帯を有する前記ダウンリンク無線周波数信号と前記第２局部周波数信号とを取得し、次に、前記第３無線周波数帯を有する前記ダウンリンク無線周波数信号と前記第２局部周波数信号とを前記第２受動混合器へ送信する段階と、
前記第２受動混合器が、前記第１無線周波数帯を有する前記第３ダウンリンク無線周波数信号を形成するために、前記第２局部周波数信号を使用することによって、前記第３無線周波数帯を有する前記ダウンリンク無線周波数信号に対して周波数混合処理を実行し、次に、前記第１無線周波数帯を有する前記第３ダウンリンク無線周波数信号を前記第３アンテナへ送信する段階と、
前記第３アンテナが、前記第１無線周波数帯を有する、受信された前記第３ダウンリンク無線周波数信号を伝送する段階と
を備える、請求項９または１０に記載の信号伝送方法。
【請求項１２】
分散アンテナシステム（ＤＡＳ）によって実行される信号伝送方法であって、前記ＤＡＳは、近端信号受信デバイスと、受動ＤＡＳ回線と、遠端受信デバイスとを備え、前記近端信号受信デバイスは、信号送信先、第１信号生成器、および第１混合器を有し、前記遠端受信デバイスは、第１受動混合器および第１アンテナを有し、前記信号伝送方法は、
前記第１信号生成器が、第１局部周波数信号を生成し、前記受動ＤＡＳ回線を使用することによって、前記第１局部周波数信号を前記第１受動混合器へ送信する段階と、
前記第１アンテナが、第１無線周波数帯を有する第１アップリンク無線周波数信号を受信し、前記第１無線周波数帯を有する前記第１アップリンク無線周波数信号を前記第１受動混合器へ送信する段階と、
前記第１受動混合器が、前記第１局部周波数信号を受信し、第２無線周波数帯を有するアップリンク無線周波数信号を形成するために、受信された前記第１局部周波数信号を使用することによって、前記第１無線周波数帯を有する前記第１アップリンク無線周波数信号に対して周波数混合処理を実行し、次に、前記受動ＤＡＳ回線を使用することによって、前記第２無線周波数帯を有する前記アップリンク無線周波数信号を前記第１混合器へ送信する段階と、
前記第１混合器が、前記第２無線周波数帯を有する前記アップリンク無線周波数信号を受信する段階と、
前記第１混合器が、前記第１無線周波数帯を有する前記第１アップリンク無線周波数信号を形成するために、前記第１信号生成器によって生成される前記第１局部周波数信号を使用することによって、前記第２無線周波数帯を有する、受信された前記アップリンク無線周波数信号に対して、周波数混合処理を実行し、次に、前記第１無線周波数帯を有する前記第１アップリンク無線周波数信号を前記信号送信先へ送信するか、または、
前記第１無線周波数帯を有する前記第１アップリンク無線周波数信号を形成するために、前記第１混合器によって生成される局部周波数信号を使用することによって、前記第２無線周波数帯を有する、受信された前記アップリンク無線周波数信号に対して周波数混合処理を実行し、次に、前記第１無線周波数帯を有する前記第１アップリンク無線周波数信号を前記信号送信先へ送信する段階と
を備える信号伝送方法。
【請求項１３】
前記遠端受信デバイスはさらに、第２アンテナおよび第１合波器を有し、前記近端信号受信デバイスはさらに、第２分波器を有し、
前記第１受動混合器が、前記第２無線周波数帯を有する前記アップリンク無線周波数信号を前記第１混合器へ送信する前記段階は、具体的には、前記第１受動混合器が、前記第２無線周波数帯を有する前記アップリンク無線周波数信号を前記第１合波器へ送信する段階を有し、
前記信号伝送方法はさらに、
前記第２アンテナが、前記第１無線周波数帯を有する第２アップリンク無線周波数信号を受信し、前記第１無線周波数帯を有する前記第２アップリンク無線周波数信号を前記第１合波器へ送信する段階と、
前記第１合波器が、前記第２アンテナによって送信される、前記第１無線周波数帯を有する前記第２アップリンク無線周波数信号と、前記第１受動混合器によって送信される、前記第２無線周波数帯を有する前記アップリンク無線周波数信号とを受信し、合波済みアップリンク無線周波数信号を形成するために、前記第１無線周波数帯を有する前記第２アップリンク無線周波数信号、および、前記第２無線周波数帯を有する前記アップリンク無線周波数信号に対して合波処理を実行し、次に、前記受動ＤＡＳ回線を使用することによって、前記合波済みアップリンク無線周波数信号を前記第２分波器へ送信する段階であって、前記第１無線周波数帯および前記第２無線周波数帯は互いに重複しない、段階と、
前記第２分波器が、前記合波済みアップリンク無線周波数信号を受信し、前記第１無線周波数帯を有する前記第２アップリンク無線周波数信号を取得するために、および、前記第２無線周波数帯を有する前記アップリンク無線周波数信号を取得するために、受信された前記合波済みアップリンク無線周波数信号における信号を分離し、次に、前記第１無線周波数帯を有する前記第２アップリンク無線周波数信号を前記信号送信先へ送信し、第２無線周波数帯を有する前記アップリンク無線周波数信号を前記第１混合器へ送信する段階と、
を備え、
前記第１混合器が、前記第２無線周波数帯を有する前記アップリンク無線周波数信号を受信する前記段階は、具体的には、前記第１混合器が、前記第２分波器によって送信される、前記第２無線周波数帯を有する前記アップリンク無線周波数信号を受信する段階を有する、
請求項１２に記載の信号伝送方法。
【請求項１４】
前記近端信号受信デバイスはさらに、第２信号生成器と、第２合波器と、第２混合器とを有し、前記遠端受信デバイスはさらに、第３アンテナと、第２受動混合器と、第１分波器とを有し、
前記第１信号生成器が、前記第１局部周波数信号を送信する前記段階は、具体的には、前記第１信号生成器が、前記第１局部周波数信号を前記第２合波器へ送信する段階を有し、
前記信号伝送方法はさらに、
前記第２信号生成器が、第２局部周波数信号を生成し、前記第２局部周波数信号を前記第２合波器へ送信する段階と、
前記第２合波器が、前記第１信号生成器によって送信される前記第１局部周波数信号と、前記第２信号生成器によって送信される前記第２局部周波数信号とを受信し、第１合波信号を形成するために、前記第１局部周波数信号および前記第２局部周波数信号に対して合波処理を実行し、次に、前記受動ＤＡＳ回線を使用することによって、前記第１合波信号を前記第１分波器へ送信する段階と、
前記第１分波器が、前記第１合波信号を受信し、前記第１局部周波数信号を取得するために、および、前記第２局部周波数信号を取得するために、前記第１合波信号における信号を分離し、次に、前記第１局部周波数信号を前記第１受動混合器へ送信し、前記第２局部周波数信号を前記第２受動混合器へ送信する段階と、
前記第３アンテナが、前記第１無線周波数帯を有する第３アップリンク無線周波数信号を受信し、前記第１無線周波数帯を有する前記第３アップリンク無線周波数信号を前記第２受動混合器へ送信する段階と、
前記第２受動混合器が、前記第１分波器によって送信される前記第２局部周波数信号と、前記第３アンテナによって送信される、前記第１無線周波数帯を有する前記第３アップリンク無線周波数信号とを受信し、第３無線周波数帯を有するアップリンク無線周波数信号を形成するために、前記第２局部周波数信号を使用することによって、前記第１無線周波数帯を有する前記第３アップリンク無線周波数信号に対して周波数混合処理を実行し、次に、前記第３無線周波数帯を有する前記アップリンク無線周波数信号を前記第１合波器へ送信する段階であって、前記第３無線周波数帯および前記第２無線周波数帯は互いに重複しない、段階と、
前記第１合波器が、前記第２受動混合器によって送信される、前記第３無線周波数帯を有する前記アップリンク無線周波数信号を受信し、前記第３無線周波数帯を有する前記アップリンク無線周波数信号を前記合波済みアップリンク無線周波数信号の中に合波し、前記受動ＤＡＳ回線を使用することによって、合波した後に取得されたアップリンク無線周波数信号を前記第２分波器へ送信する段階と、
前記第２分波器が、前記第３無線周波数帯を有する前記アップリンク無線周波数信号を取得し、次に、前記第３無線周波数帯を有する前記アップリンク無線周波数信号を前記第２混合器へ送信する段階と、
前記第２混合器が、前記第２分波器によって送信される、前記第３無線周波数帯を有する前記アップリンク無線周波数信号を受信する段階と、
前記第２混合器が、前記第１無線周波数帯を有する前記第３アップリンク無線周波数信号を形成するために、前記第２信号生成器によって生成される前記第２局部周波数信号を使用することによって、前記第３無線周波数帯を有する前記アップリンク無線周波数信号に対して周波数混合処理を実行し、次に、前記第１無線周波数帯を有する前記第３アップリンク無線周波数信号を前記信号送信先へ送信するか、または、
前記第１無線周波数帯を有する前記第３アップリンク無線周波数信号を形成するために、前記第２混合器によって生成される局部周波数信号を使用することによって、前記第３無線周波数帯を有する前記アップリンク無線周波数信号に対して周波数混合処理を実行し、次に、前記第１無線周波数帯を有する前記第３アップリンク無線周波数信号を前記信号送信先へ送信する段階と
を備える、請求項１３に記載の信号伝送方法。
【手続補正２】
【補正対象書類名】明細書
【補正対象項目名】００９２
【補正方法】変更
【補正の内容】
【００９２】
さらに、ＤＡＳシステムの伝送容量をより良く改善するために、本発明のこの実施形態において提供されるＤＡＳはさらに、同一の無線周波数帯を有する複数の信号の伝送をサポートし得る。例えば、同一の周波数帯を有する少なくとも２つのアップリンク無線周波数信号に対して周波数混合処理が別々に実行された後に、異なる周波数帯を有する信号が形成され、次に、共に合波されて近端における信号送信先へ送信される。具体的には、図７に示されるように、近端信号受信デバイスはさらに、第２信号生成器４０４と、第２合波器４０６と、第２混合器４０３とを有し、遠端受信デバイスはさらに、第３アンテナ５０７と、第２受動混合器５０３と、第１分波器５０６とを有する。
【手続補正３】
【補正対象書類名】明細書
【補正対象項目名】００９５
【補正方法】変更
【補正の内容】
【００９５】
第２合波器４０６は、第１信号生成器４０１によって送信される第１局部周波数信号と、第２信号生成器４０４によって送信される第２局部周波数信号とを受信し、第１合波信号を形成するために、第１局部周波数信号および第２局部周波数信号に対して合波処理を実行し、次に、受動ＤＡＳ回線を使用することによって、第１合波信号を第１分波器５０６へ送信するように構成される。
【手続補正４】
【補正対象書類名】明細書
【補正対象項目名】００９６
【補正方法】変更
【補正の内容】
【００９６】
第１分波器５０６は、第１合波信号を受信し、第１局部周波数信号を取得するために、および、第２局部周波数信号を取得するために、第１合波信号における信号を分離し、第１局部周波数信号を第１受動混合器５０１へ送信し、第２局部周波数信号を第２受動混合器５０３へ送信するように構成される。
【手続補正５】
【補正対象書類名】明細書
【補正対象項目名】００９７
【補正方法】変更
【補正の内容】
【００９７】
第１受動混合器５０１は、具体的には、第１分波器５０６によって送信される第１局部周波数信号を受信するように構成される。
【手続補正６】
【補正対象書類名】明細書
【補正対象項目名】００９９
【補正方法】変更
【補正の内容】
【００９９】
第２受動混合器５０３は、第１分波器５０６によって送信される第２局部周波数信号と、第３アンテナ５０７によって送信される、第１無線周波数帯を有する第３アップリンク無線周波数信号とを受信し、第３無線周波数帯を有するアップリンク無線周波数信号を形成するために、第２局部周波数信号を使用することによって第１無線周波数帯を有する第３アップリンク無線周波数信号に対して周波数混合処理を実行し、次に、第３無線周波数帯を有するアップリンク無線周波数信号を第１合波器５０５へ送信するように構成され、第３無線周波数帯および第２無線周波数帯は互いに重複しない。
【国際調査報告】
2018525860.tif 000014
2018525860.tif 000015
2018525860.tif 000016
2018525860.tif 000017